(57)【特許請求の範囲】
【請求項１】
情報表示装置と大型情報表示装置と管理装置とを含む情報表示システムにおいて、
前記管理装置は、
前記情報表示装置と前記大型情報表示装置との関連を示す関連情報を記憶する管理装置記憶部と、
前記情報表示装置または大型情報表示装置が入力を受け付けた場合、前記関連情報に基づいて、当該入力を受け付けた情報表示装置または大型情報表示装置に関連づけられている前記情報表示装置または大型情報表示装置が表示している表示内容を変更させる管理装置制御部と、
を備え、
前記情報表示装置は電子棚札端末であり、前記大型情報表示装置は大型電子棚札端末であることを特徴とする情報表示システム。
【請求項２】
前記大型情報表示装置は、
入力部と、
前記入力部が受け付けた入力を示す情報を送信する送信部と、
を備え、
前記管理装置は、
前記送信部が送信する情報を受信する管理装置受信部
を備え、
前記管理装置制御部は、
前記関連情報と、前記大型情報表示装置が受け付けた入力とに基づいて、当該入力を受け付けた大型情報表示装置に関連づけられている前記情報表示装置が表示している表示内容を変更させる
ことを特徴とする請求項１に記載の情報表示システム。
【請求項３】
前記情報表示装置は、
表示装置入力部と、
前記表示装置入力部が受け付けた入力を示す情報を送信する表示装置送信部と、
を備え、
前記管理装置は、
前記表示装置送信部が送信する情報を受信する管理装置受信部
を備え、
前記管理装置制御部は、
前記関連情報と、前記情報表示装置が受け付けた入力とに基づいて、当該入力を受け付けた情報表示装置に関連づけられている前記大型情報表示装置が表示している表示内容を変更させる
ことを特徴とする請求項１または請求項２のいずれか１項に記載の情報表示システム。
【発明の詳細な説明】
【技術分野】
【０００１】
本発明は、情報表示システムおよび管理装置に関する。
【背景技術】
【０００２】
特定の商品を説明する商品情報と、この商品が陳列されている位置に配置された電子棚札端末および掲示板に配置された電子棚札端末とを関連づけることにより、複数の電子棚札端末に同一の商品情報を表示させる電子棚札システムが知られている（例えば、特許文献１参照）。
【０００３】
また、ＥＳＬ（Ｅｌｅｃｔｒｏｎｉｃ  ｓｈｅｌｆ  ｌａｂｅｌ、電子棚札）管理サーバが、電子棚札端末と大型電子棚札端末とを識別して、電子棚札端末と大型電子棚札端末とに適した表示データを各端末に送信し、電子棚札端末と大型電子棚札端末とがそれぞれ送信された表示データに基づいた表示を行うことが知られている（例えば、特許文献２参照）。
【先行技術文献】
【特許文献】
【０００４】
【特許文献１】特開２００７−２２６７１３号公報
【特許文献２】特開２００３−０５８９４８号公報
【発明の概要】
【発明が解決しようとする課題】
【０００５】
しかしながら、特許文献１に記載されている技術では、商品が陳列されている位置に配置された棚札と、掲示板に配置された棚札とは、同一の商品情報しか表示することができない。例えば、掲示板に配置された棚札に販売促進のための情報などを表示させることができない。
【０００６】
また、特許文献２に記載されている技術では、電子棚札端末と大型電子棚札端末とが表示する内容の変更を連携して行うことができない。例えば、電子棚札端末が表示する内容の詳細を大型電子棚札端末に表示させたり、大型電子棚札端末が表示している内容にあわせて、電子棚札端末の表示を変更させたりすることができない。
【０００７】
本発明は上記の点に鑑みてなされたものであり、情報表示装置と大型情報表示装置とが表示する内容の変更を連携して行うことができる情報表示システムおよび管理装置を提供することを目的とする。
【課題を解決するための手段】
【０００８】
本発明は、情報表示装置と大型情報表示装置と管理装置とを含む情報表示システムにおいて、前記管理装置は、前記情報表示装置と前記大型情報表示装置との関連を示す関連情報を記憶する管理装置記憶部と、前記情報表示装置または大型情報表示装置が入力を受け付けた場合、前記関連情報に基づいて、当該入力を受け付けた情報表示装置または大型情報表示装置に関連づけられている前記情報表示装置または大型情報表示装置が表示している表示内容を変更させる管理装置制御部と、を備えたことを特徴とする情報表示システムである。
【０００９】
また、本発明における情報表示システムにおいて、前記大型情報表示装置は、入力部と、前記入力部が受け付けた入力を示す情報を送信する送信部と、を備え、前記管理装置は、前記送信部が送信する情報を受信する管理装置受信部を備え、前記管理装置制御部は、前記関連情報と、前記大型情報表示装置が受け付けた入力とに基づいて、当該入力を受け付けた大型情報表示装置に関連づけられている前記情報表示装置が表示している表示内容を変更させることを特徴とする。
【００１０】
また、本発明における情報表示システムにおいて、前記情報表示装置は、表示装置入力部と、前記表示装置入力部が受け付けた入力を示す情報を送信する表示装置送信部と、を備え、前記管理装置は、前記表示装置送信部が送信する情報を受信する管理装置受信部を備え、前記管理装置制御部は、前記関連情報と、前記情報表示装置が受け付けた入力とに基づいて、当該入力を受け付けた情報表示装置に関連づけられている前記大型情報表示装置が表示している表示内容を変更させることを特徴とする。
【００１１】
また、本発明は、情報表示装置と大型情報表示装置と管理装置とを含む情報表示システムに含まれる管理装置であって、前記情報表示装置と前記大型情報表示装置との関連を示す関連情報を記憶する管理装置記憶部と、前記情報表示装置または大型情報表示装置が入力を受け付けた場合、前記関連情報に基づいて、当該入力を受け付けた情報表示装置または大型情報表示装置に関連づけられている前記情報表示装置または大型情報表示装置が表示している表示内容を変更させる管理装置制御部と、を備えたことを特徴とする管理装置である。
【００１２】
また、本発明は、前記大型情報表示装置が送信する、当該大型情報表示装置が受け付けた入力を示す情報を受信する管理装置受信部を備え、前記管理装置制御部は、前記関連情報と、前記大型情報表示装置が受け付けた入力とに基づいて、当該入力を受け付けた大型情報表示装置に関連づけられている前記情報表示装置が表示している表示内容を変更させることを特徴とする管理装置である。
【００１３】
また、本発明は、前記情報表示装置が送信する、当該情報表示装置が受け付けた入力を示す情報を受信する管理装置受信部を備え、前記管理装置制御部は、前記関連情報と、前記情報表示装置が受け付けた入力とに基づいて、当該入力を受け付けた情報表示装置に関連づけられている前記大型情報表示装置が表示している表示内容を変更させることを特徴とする管理装置である。
【００１４】
また、本発明の情報表示システムにおいて、前記情報表示装置は電子棚札端末であり、前記大型情報表示装置は大型電子棚札端末であることを特徴とする。
【発明の効果】
【００１５】
本発明によれば、情報表示装置と大型情報表示装置とが表示する内容の変更を連携して行うことができる。
【図面の簡単な説明】
【００１６】
【図１】本発明の第１の実施形態における電子棚札システムを含んだ販売店システムの構成を示したブロック図である。
【図２】本発明の第１の実施形態における電子棚札端末の構成を示したブロック図である。
【図３】本発明の第１の実施形態における大型電子棚札端末の構成を示したブロック図である。
【図４】本発明の第１の実施形態におけるＥＳＬサーバの構成を示したブロック図である。
【図５】本発明の第１の実施形態における電子棚札端末と大型電子棚札端末とが設置される棚の外観を示した概略図である。
【図６】本発明の第１の実施形態における管理装置記憶部が記憶する情報のデータ構造を示した概略図である。
【図７】本発明の第１の実施形態における販売促進情報を表示する画面を示した概略図である。
【図８】本発明の第１の実施形態における表示入力部の表示例を示した概略図である。
【図９】本発明の第１の実施形態における表示部が表示する商品情報表示画面を示した概略図である。
【図１０】本発明の第１の実施形態における商品情報表示画面の表示例を示した概略図である。
【図１１】本発明の第１の実施形態におけるＥＳＬサーバが電子棚札端末と大型電子棚札端末とを連携して制御する手順を示したフローチャートである。
【図１２】本発明の第１の実施形態における大型電子棚札端末の表示入力部が、液晶ディスプレイとスイッチとを備えた場合の外観を示した概要図である。
【図１３】本発明の第２の実施形態における管理情報のデータ構造を示した概略図である。
【図１４】本発明の第２の実施形態における表示入力部が表示する販売促進情報の初期画面を示した概略図である。
【図１５】本発明の第２の実施形態における表示入力部が表示する詳細説明画面を示した概略図である。
【図１６】本発明の第２の実施形態における表示入力部が表示する類似商品紹介画面を示した概略図である。
【図１７】本発明の第２の実施形態における表示部が表示する商品情報表示画面を示した概略図である。
【図１８】本発明の第２の実施形態における表示部が表示する商品情報表示画面を示した概略図である。
【図１９】本発明の第２の実施形態における表示部が表示する商品情報表示画面を示した概略図である。
【図２０】本発明の第２の実施形態における表示部が表示する商品情報表示画面を示した概略図である。
【図２１】本発明の第２の実施形態における表示部が表示する表示変更後の商品情報表示画面を示した概略図である。
【図２２】本発明の第２の実施形態における表示部が表示する表示変更後の商品情報表示画面を示した概略図である。
【図２３】本発明の第２の実施形態における表示部が表示する表示変更後の商品情報表示画面を示した概略図である。
【図２４】本発明の第２の実施形態におけるＥＳＬサーバが電子棚札端末と大型電子棚札端末とを連携して制御する手順を示したフローチャートである。
【図２５】本発明の第３の実施形態における電子棚札システムの構成を示した図である。
【図２６】本発明の第３の実施形態における電子棚札端末と大型電子棚札端末とが設置される帳票記入台の外観を示した概略図である。
【図２７】本発明の第３の実施形態における表示入力部が表示する取引名称を表示する画面を示した概略図である。
【図２８】本発明の第３の実施形態における表示入力部の表示例を示した概略図である。
【図２９】本発明の第３の実施形態における表示部１２が表示する帳票名表示画面を示した概略図である。
【図３０】本発明の第３の実施形態における商品情報表示画面の表示例を示した概略図である。
【図３１】本発明の第３の実施形態におけるＥＳＬサーバが電子棚札端末と大型電子棚札端末とを連携して制御する手順を示したフローチャートである。
【図３２】本発明の第３の実施形態における大型電子棚札端末の表示入力部が、液晶ディスプレイとスイッチとを備えた場合の外観を示した概要図である。
【図３３】本発明の第４の実施形態における電子棚札端末が配置される部品棚と、大型電子棚札端末が設置される作業台の外観を示した概略図である。
【図３４】本発明の第４の実施形態における表示入力部が表示する作業工程の名称を表示する画面を示した概略図である。
【図３５】本発明の第４の実施形態における表示入力部の表示例を示した概略図である。
【図３６】本発明の第４の実施形態における表示部が表示する部品情報表示画面を示した概略図である。
【図３７】本発明の第４の実施形態における表示部が表示する部品情報表示画面の表示例を示した概略図である。
【図３８】本発明の第４の実施形態におけるＥＳＬサーバが電子棚札端末と大型電子棚札端末とを連携して制御する手順を示したフローチャートである。
【図３９】本発明の第４の実施形態における大型電子棚札端末の表示入力部が、液晶ディスプレイとスイッチとを備えた場合の外観を示した概要図である。
【図４０】本発明の第５の実施形態における大型電子棚札端末が配置される倉庫の平面図である。
【図４１】本発明の第５の実施形態における電子棚札端末と大型電子棚札端末とが配置される在庫棚の外観を示した概略図である。
【図４２】本発明の第５の実施形態における表示入力部が表示する在庫棚位置表示画面を示した概略図である。
【図４３】本発明の第５の実施形態における表示入力部が表示する在庫棚内位置表示画面を示した概略図である。
【図４４】本発明の第５の実施形態における表示部が表示する在庫情報表示画面を示した概略図である。
【図４５】本発明の第５の実施形態における表示部が表示する在庫取出情報表示画面を示した概略図である。
【図４６】本発明の第５の実施形態における表示部が表示する在庫情報表示画面を示した概略図である。
【図４７】本発明の第５の実施形態におけるＥＳＬサーバが電子棚札端末と大型電子棚札端末とを連携して制御する手順を示したフローチャートである。
【発明を実施するための形態】
【００１７】
（第１の実施形態）
以下、図面を参照しながら本発明の第１の実施形態について説明する。図１は、本実施形態の電子棚札システム（情報表示システム）を含んだ販売店システムの構成を示したブロック図である。図示する例では、販売店システムは、電子棚札システムと、ＰＯＳ（Ｐｏｉｎｔ  ｏｆ  ｓａｌｅｓ）サーバ７と、ＰＯＳレジスタ８とを備えている。また、電子棚札システムは、電子棚札端末１と、大型電子棚札端末２と、ＥＳＬサーバ３（管理装置）と、アクセスポイント４と、中継機５−１〜５−３と、ハンディ端末６とを備えている。ＥＳＬサーバ３とＰＯＳサーバ７とはバックヤード１００に設置されている。電子棚札端末１と、大型電子棚札端末２と、アクセスポイント４と、中継機５−１〜５−３と、ＰＯＳレジスタ８とは店舗２００に設置されている。
【００１８】
ＥＳＬサーバ３と、アクセスポイント４と、中継機５−１，５−２と、ＰＯＳサーバ７と、ＰＯＳレジスタ８とは有線ネットワークで接続されており、互いにデータ通信を行うことができる。また、アクセスポイント４と、中継機５−３およびハンディ端末６とは無線ＬＡＮなどの無線ネットワークで接続されており、互いにデータ通信を行うことができる。また、電子棚札端末１及び大型電子棚札端末２と中継機５−１〜５−３とは、近距離無線方式（例えば、ＩＥＥＥ８０２．１５．４）を用いた無線ネットワークで接続されており、互いにデータ通信を行うことができる。これにより、電子棚札端末１及び大型電子棚札端末２とＥＳＬサーバ３とは互いにデータ通信を行うことができる。また、ＥＳＬサーバ３とハンディ端末６とは互いにデータ通信を行うことができる。
【００１９】
なお、電子棚札端末１及び大型電子棚札端末２と中継機５−１〜５−３との間の無線ネットワークで近距離無線方式を用いることにより、電子棚札端末１及び大型電子棚札端末２を小型化および長電池寿命化することができ、電子棚札端末１及び大型電子棚札端末２と中継機５−１〜５−３との間の通信速度を高速化することができる。
【００２０】
電子棚札端末１は個別の商品の価格や説明などを表示する。大型電子棚札端末２は、大型の液晶ディスプレイやタッチパネルなどを備え、商品の販売促進用の情報などを表示する。また、大型電子棚札端末２は、大型の液晶ディスプレイやタッチパネルなどを供えているため、複数の商品の情報など、多量の情報を一度に表示することができる。また、本実施形態では、大型電子棚札端末２は、複数の電子棚札端末１と関連付けられている。
【００２１】
ＥＳＬサーバ３は電子棚札端末１と大型電子棚札端末２との管理を行う。アクセスポイント４と中継機５−１〜５−３とはデータ通信を中継する。ハンディ端末６は、ＥＳＬサーバ３に入力する情報を受け付け、この情報をＥＳＬサーバ３に送信する。ＰＯＳサーバ７は、商品の情報や、売り上げ情報などを管理する。ＰＯＳレジスタ８は、顧客が購入する商品の精算処理を行う。
【００２２】
次に、電子棚札端末１の構成について説明する。図２は、本実施形態における電子棚札端末１の構成を示したブロック図である。図示する例では、電子棚札端末１は、制御部１１と、表示部１２と、記憶部１３と、無線通信部１４（表示装置送信部）と、電池１５と、入力部１６（表示装置入力部）とを備える。
【００２３】
制御部１１は、電子棚札端末１が備える各部の制御を行う。表示部１２は液晶表示装置などであり、商品の名前や商品の価格などを表示する。記憶部１３は、電子棚札端末１の各部が処理の途中で使用するデータを一時記憶する。無線通信部１４は、中継機５−１〜５−３を介して、ＥＳＬサーバ３とデータの送受信を行う。電池１５は、電子棚札端末１が備える各部に電力を供給する。入力部１６は、スイッチを備え、操作者からの入力を受け付ける。
【００２４】
次に、大型電子棚札端末２の構成について説明する。図３は、本実施形態における大型電子棚札端末２の構成を示したブロック図である。図示する例では、大型電子棚札端末２は、制御部２１と、表示入力部２２（入力部）と、記憶部２３と、無線通信部２４（送信部）と、電池２５とを備える。
【００２５】
制御部２１は、大型電子棚札端末２が備える各部の制御を行う。表示入力部２２はタッチパネルなどであり、商品の販売促進用の情報などを表示し、操作者からの入力を受け付ける。記憶部２３は、大型電子棚札端末２の各部が処理の途中で使用するデータを一時記憶する。無線通信部２４は、中継機５−１〜５−３を介して、ＥＳＬサーバ３とデータの送受信を行う。電池２５は、大型電子棚札端末２が備える各部に電力を供給する。
【００２６】
次に、ＥＳＬサーバ３の構成について説明する。図４は、本実施形態におけるＥＳＬサーバ３の構成を示したブロック図である。図示する例では、ＥＳＬサーバ３は、管理装置制御部３１と、管理装置記憶部３３と、管理装置通信部３４（管理装置受信部）とを備える。
【００２７】
管理装置制御部３１は、ＥＳＬサーバ３が備える各部の制御を行う。管理装置記憶部３３は管理情報を記憶する。管理情報については後述する。管理装置通信部３４は、中継機５−１〜５−３を介して、電子棚札端末１及び大型電子棚札端末２とデータの送受信を行う。
【００２８】
次に、電子棚札端末１と大型電子棚札端末２とが設置される棚について説明する。図５は、本実施形態における電子棚札端末１と大型電子棚札端末２とが設置される棚の外観を示した概略図である。図示する例では、棚１０は、商品を配置する棚板１０１〜棚板１０４を上から順に備えている。棚板１０１には左側から順に電子棚札端末１−１〜１−５が設置されている。また、棚板１０２には左側から順に電子棚札端末１−６〜１−１１が設置されている。他の棚板１０３，１０４に設置されている電子棚札端末１は図示する通りである。
【００２９】
また、棚板１０３の中央には大型電子棚札端末２−１が設置されている。また、棚板１０３の右端には大型電子棚札端末２−２が設置されている。
【００３０】
次に、ＥＳＬサーバ３の管理装置記憶部３３が記憶する管理情報について説明する。管理情報は、電子棚札端末１の表示部１２が表示する表示情報と、大型電子棚札端末２の表示入力部２２が表示する表示情報とを関連づけて関連情報として記憶している。
【００３１】
図６（ａ）は、本実施形態におけるＥＳＬサーバ３の管理装置記憶部３３が記憶する管理情報のデータ構造を示した概略図である。図示する例では、管理情報は表形式のデータ構造を有しており、「商品コード」と、「商品名」と、「説明」と、「価格」と、「棚札コード」と、「サイズ」と、「カラー」と、「大型棚札コード」と、「表示データ」と、「表示番号」とのデータ項目を有する。また、管理情報は、各データ項目の情報を行毎に関連付けて記憶している。
【００３２】
「商品コード」は、商品の種類を一意に特定する識別子である。「商品名」は、商品の名称である。「説明」は、商品を説明する文章である。「価格」は、商品の価格である。なお、「商品コード」には、「商品名」と、「説明」と、「価格」とが関連付けられており、「商品コード」を一意に特定すると、「商品名」と、「商品」と、「価格」とが一意に特定される。
【００３３】
「棚札コード」は、電子棚札システムに含まれる電子棚札端末１を一意に特定する識別子である。「サイズ」は、電子棚札端末１の大きさを示す情報である。具体的には、サイズ「Ｓ」は、電子棚札端末１の大きさは小型であることを示す。また、サイズ「Ｍ」は、電子棚札端末１の大きさは中型であることを示す。
【００３４】
「カラー」は、電子棚札端末１が備える表示部１２が表示することができる色を示す情報である。具体的には、カラー「カラー」は、電子棚札端末１が備える表示部１２はカラー表示を行うことができることを示す。また、カラー「モノクロ」は、電子棚札端末１が備える表示部１２はモノクロ表示を行うことができることを示す。
【００３５】
なお、「棚札コード」には「サイズ」と、「カラー」とが関連付けられており、「棚札コード」を一意に特定すると「サイズ」と、「カラー」とが一意に特定される。
【００３６】
「大型棚札コード」は、電子棚札システムに含まれる大型電子棚札端末２を一意に特定する識別子である。「表示データ」は、大型電子棚札端末２の表示入力部２２が表示する販売促進情報画面に含まれる商品名を特定する情報である。
【００３７】
なお、表示入力部２２が表示する販売促進情報画面を複数種類用意することができ、この表示形式を「表示モード」とよぶ。「表示モード」には、例えば、販売促進情報画面として「今週の特売品商品」を表示するモードや、「当店のイチオシ品」を表示するモードがある。また、「表示データ」によって各「表示モード」で表示する商品を指定することができる。また、「表示モード」は大型電子棚札端末２ごとに設定することができる。
【００３８】
図６（ｂ）は、本実施形態におけるＥＳＬサーバ３の管理装置記憶部３３が記憶する表示モード情報のデータ構造を示した概略図である。図示する例では、表示モード情報は表形式のデータ構造を有しており、「大型棚札コード」と「表示モード」とのデータ項目を有する。また、表示モード情報は、各データ項目の情報を行毎に関連付けて記憶している。
【００３９】
図示する例では、大型棚札コード「８０７５」で特定される大型電子棚札端末２の表示モードは「３」である。また、大型棚札コード「８０１３」で特定される大型電子棚札端末２の表示モードは「１」である。
【００４０】
本実施形態では、大型電子棚札端末２の表示入力部２２が「今週の特売品画面」を表示するモードを表示モード「１」とする。この表示モードでは、大型電子棚札端末２の表示入力部２２は「今週の特売品」を表示する販売促進情報画面である「今週の特売品画面」を表示し、「今週の特売品画面」に表示データ「１」に関連づけられている商品名を含める。
【００４１】
また、大型電子棚札端末２の表示入力部２２が「当店のイチオシ品画面」を表示するモードを表示モード「２」とする。この表示モードでは、大型電子棚札端末２の表示入力部２２は「当店のイチオシ品」を表示する販売促進情報画面である「当店のイチオシ品画面」を表示し、「当店のイチオシ品画面」に表示データ「２」に関連づけられている商品名を含める。
【００４２】
また、大型電子棚札端末２の表示入力部２２が「本日のおすすめ品画面」を表示するモードを表示モード「３」とする。この表示モードでは、大型電子棚札端末２の表示入力部２２は「本日のおすすめ品」を表示する販売促進情報画面である「本日のおすすめ品画面」を表示し、「本日のおすすめ品画面」に表示データ「３」に関連づけられている商品名を含める。
【００４３】
以下、図６（ａ）の説明に戻る。「表示番号」は、大型電子棚札端末２の表示入力部２２が商品名を表示する位置を示す。具体的には、表示番号「１」は、表示入力部２２が表示するスイッチ番号「１」のスイッチに商品名を表示することを示す。また、表示番号「２」は、表示入力部２２が表示するスイッチ番号「２」のスイッチに商品名を表示することを示す。また、表示番号「３」は、表示入力部２２が表示するスイッチ番号「３」のスイッチに商品名を表示することを示す。スイッチ番号とスイッチの位置との対応については後述する。
【００４４】
次に、管理情報の各行が示す内容について説明する。例えば、行６０１に示す例では、商品コード「１０５０１」で特定される商品の商品名は「酢豚の素」であり、説明は「四川風味」であり、価格は「４２０」であることを示している。
【００４５】
また、商品コード「１０５０１」で特定される商品の情報を表示する電子棚札端末１を特定する棚札コードは「１００１」であり、棚札コード「１００１」で一意に特定される電子棚札端末１のサイズは「Ｍ」であり、カラーは「モノクロ」であることを示している。
【００４６】
また、大型棚札コード「８０７５」で一意に特定される大型電子棚札端末２が、「今週の特売品画面」を表示する表示モード１で動作する際に、商品名「酢豚の素」を、スイッチ番号「１」のスイッチに表示することを示している。他の行が示す内容については図示するとおりである。
【００４７】
次に、大型電子棚札端末２の表示入力部２２が表示する画面例について図７〜図８に基づいて説明する。大型電子棚札端末２の表示入力部２２が画面を表示する方法としては、ＥＳＬサーバ３が図７〜図８に示す商品名などを含んだ画像を表示するための画像データを作成して大型電子棚札端末２に送信し、大型電子棚札端末２の表示入力部２２が、送信された画像データに基づいた画像を表示する方法がある。なお、大型電子棚札端末２の表示入力部２２が画面を表示する方法はこの方法に限らず、どのような方法を用いてもよい。例えば、ＥＳＬサーバ３が図７〜図８に示す画面に含まれる商品名などの各種の情報を大型電子棚札端末２に送信し、大型電子棚札端末２の制御部２１が、送信された情報に基づいて図７〜図８に示す商品名などを含んだ画像を表示するための画像データを作成し、表示入力部２２がこの画像データに基づいた画像を表示する方法を用いてもよい。
【００４８】
図７は、本実施形態における大型電子棚札端末２の表示入力部２２が表示する販売促進情報画面を示した概略図である。販売促進情報画面は、タイトル表示領域７０１と、スイッチ表示領域７０２とを含んでいる。
【００４９】
タイトル表示領域７０１は、販売促進情報画面のタイトルを表示する領域である。スイッチ表示領域７０２は、スイッチ番号「１」のスイッチと、スイッチ番号「２」のスイッチと、スイッチ番号「３」のスイッチとを表示する領域である。このスイッチは、操作者による入力を受け付ける。なお、大型電子棚札端末２のスイッチ表示領域７０２に表示されているスイッチに表示する商品名は、ＥＳＬサーバ３の管理装置記憶部３３が記憶する管理情報に基づいている。
【００５０】
図７に示す画面例は、販売促進情報画面のうち、「本日のおすすめ品画面」の画面例を示している。大型電子棚札端末２の表示入力部２２は、「本日のおすすめ品」をタイトル表示領域７０１に表示している。また、表示入力部２２は、スイッチ番号「１」のスイッチ７０２１に「１．麻婆豆腐の素」を表示している。また、表示入力部２２は、スイッチ番号「２」のスイッチ７０２２に「２．青椒肉絲の素」を表示している。また、表示入力部２２は、スイッチ番号「３」のスイッチ７０２３に「３．回鍋肉の素」を表示している。
【００５１】
図８は、大型電子棚札端末２の表示入力部２２が図７に示した「本日のおすすめ品表示画面」を表示している際に、操作者がスイッチ番号「２」のスイッチ７０２２を押した場合における、表示入力部２２の表示例を示した概略図である。図７に示した例と異なる点は、スイッチ番号「２」のスイッチ７０２２の表示色が反転している点である。これは、スイッチ番号「２」のスイッチ７０２２が操作者によって押されたことを示している。
【００５２】
次に、電子棚札端末１の表示部１２が表示する画面例について図９〜図１０に基づいて説明する。電子棚札端末１の表示部１２が画面を表示する方法としては、ＥＳＬサーバ３が図９〜図１０に示す商品名などを含んだ画像を表示するための画像データを作成して電子棚札端末１に送信し、電子棚札端末１の表示部１２が、送信された画像データに基づいた画像を表示する方法がある。なお、電子棚札端末１の表示部１２が画面を表示する方法はこの方法に限らず、どのような方法を用いてもよい。例えば、ＥＳＬサーバ３が図９〜図１０に示す画面に含まれる商品名などの各種の情報を電子棚札端末１に送信し、電子棚札端末１の制御部１１が、送信された情報に基づいて図９〜図１０に示す商品名などを含んだ画像を表示するための画像データを作成し、表示部１２がこの画像データに基づいた画像を表示する方法を用いてもよい。
【００５３】
図９は、本実施形態における電子棚札端末１の表示部１２が表示する「商品情報表示画面」を示した概略図である。電子棚札端末１の前面には、表示部１２と、入力部１６が備えるスイッチ１６０とが設けられている。商品情報表示画面は、画面上部に「商品名」を表示し、画面中央部に「説明」を表示し、画面下部に「価格」を表示する。
【００５４】
図９に示す例では、電子棚札端末１の表示部１２は、「青椒肉絲の素」を画面上部に表示し、「本場広東の味」を画面中央部に表示し、「３８０円」を画面下部に表示している。
【００５５】
図１０は、電子棚札端末１が図９に示した商品情報表示画面を表示している際に、大型電子棚札端末２が表示する「２．青椒肉絲の素」を表示しているスイッチ７０２２（スイッチ番号「２」のスイッチ７０２２）が操作者に押された場合における商品情報表示画面の表示例を示した概略図である。
【００５６】
図９に示した例と異なる点は、「青椒肉絲の素」と「本場広東の味」との表示色が反転している点である。これは、大型電子棚札端末２が表示する「２．青椒肉絲の素」が操作者により押下されたことを示している。
【００５７】
次に、ＥＳＬサーバ３が電子棚札端末１と大型電子棚札端末２とを連携して制御する手順について説明する。本実施形態では、ＥＳＬサーバ３が電子棚札端末１と大型電子棚札端末２とを連携して制御することにより、図９〜図１０に示すように、大型電子棚札端末２の表示入力部２２が操作者より入力を受け付けた場合、電子棚札端末１の表示部１２が表示する内容が変化する。
【００５８】
図１１は、本実施形態におけるＥＳＬサーバ３が電子棚札端末１と大型電子棚札端末２とを連携して制御する手順を示したフローチャートである。
【００５９】
（ステップＳ１０１）ＥＳＬサーバ３の管理装置制御部３１は、大型電子棚札端末２の表示モードを設定する。その後、ステップＳ１０２の処理に進む。本実施形態では、大型電子棚札端末２の表示入力部２２が「今週の特売品画面」を表示する表示モード「１」と、大型電子棚札端末２の表示入力部２２が「当店のイチオシ品画面」を表示する表示モード「２」と、大型電子棚札端末２の表示入力部２２が「本日のおすすめ品画面」を表示する表示モード「３」とがある。
【００６０】
なお、大型電子棚札端末２の表示モードを設定する方法としては、例えば、ハンディ端末５は、表示モードを指定する情報の入力を受け付け、この情報をＥＳＬサーバ３に送信する。そして、表示モードを指定する情報を受信したＥＳＬサーバ３の管理装置制御部３１は、この情報に基づいて、大型電子棚札端末２の表示モードを設定する方法がある。具体的には、ハンディ端末５が表示モード「３」を指定する情報の入力を受け付けた場合、ＥＳＬサーバ３の管理装置制御部３１は、大型電子棚札端末２の表示モードを「３」と設定する。
【００６１】
（ステップＳ１０２）ＥＳＬサーバ３の管理装置制御部３１は、大型電子棚札端末２の表示入力部２２に、ステップＳ１０１で特定した表示モードで表示する画面を表示させる。また、ＥＳＬサーバ３の管理装置制御部３１は、電子棚札端末１の表示部１２に商品情報表示画面を表示させる。その後、ステップＳ１０３の処理に進む。このとき、大型電子棚札端末２の表示入力部２２が表示する画面は、例えば図７に示す画面である。また、電子棚札端末１の表示部１２が表示する画面は、例えば図９に示す画面である。
【００６２】
（ステップＳ１０３）大型電子棚札端末２の表示入力部２２は、スイッチ７０２１〜７０２３の押下を受け付ける。スイッチ７０２１〜７０２３が押下された場合、無線通信部２４は、ＥＳＬサーバ３に押下されたスイッチ７０２１〜７０２３の番号を示す情報を送信する。ＥＳＬサーバ３の管理装置通信部３４は、押下されたスイッチ７０２１〜７０２３の番号を示す情報を受信する。ＥＳＬサーバ３の管理装置制御部３１は、管理装置通信部３４が大型電子棚札端末２から押下されたスイッチ７０２１〜７０２３の番号を示す情報を受信したか否かを判定する。管理装置制御部３１は、管理装置通信部３４が大型電子棚札端末２から押下されたスイッチ７０２１〜７０２３の番号を示す情報を受信したと判定した場合にはステップＳ１０４の処理に進み、それ以外の場合にはステップＳ１０３の処理を再度実行する。
【００６３】
（ステップＳ１０４）管理装置制御部３１は、ステップＳ１０３で管理装置通信部３４が受信した、押下されたスイッチ７０２１〜７０２３の番号を示す情報に基づいて、押下されたスイッチ７０２１〜７０２３はスイッチ番号「１」のスイッチであるか否かを判定する。管理装置制御部３１は、押下されたスイッチ７０２１〜７０２３はスイッチ番号「１」のスイッチであると判定した場合にはステップＳ１０５の処理に進み、それ以外の場合にはステップＳ１０６の処理に進む。
【００６４】
（ステップＳ１０５）管理装置制御部３１は、スイッチ番号「１」のスイッチ７０２１に表示している商品名と同一の商品名を表示している電子棚札端末１の表示部１２が表示している表示画面を変更させる。その後、ステップＳ１０９の処理に進む。表示画面の変更は、例えば図１０に示すように、「商品名」と「説明」との表示色を反転させる。
【００６５】
（ステップＳ１０６）管理装置制御部３１は、ステップＳ１０３で管理装置通信部３４が受信した押下されたスイッチ７０２１〜７０２３の番号を示す情報に基づいて、押下されたスイッチ７０２１〜７０２３はスイッチ番号「２」のスイッチであるか否かを判定する。管理装置制御部３１は、押下されたスイッチ７０２１〜７０２３はスイッチ番号「２」のスイッチ７０２２であると判定した場合にはステップＳ１０７の処理に進み、それ以外の場合にはステップＳ１０８の処理に進む。
【００６６】
（ステップＳ１０７）管理装置制御部３１は、スイッチ番号「２」のスイッチ７０２２に表示している商品名と同一の商品名を表示している電子棚札端末１の表示部１２が表示している表示画面を変更させる。その後、ステップＳ１０９の処理に進む。表示画面の変更は、例えば図１０に示すように、「商品名」と「説明」との表示色を反転させる。
【００６７】
（ステップＳ１０８）管理装置制御部３１は、スイッチ番号「３」のスイッチ７０２３に表示している商品名と同一の商品名を表示している電子棚札端末１の表示部１２が表示している表示画面を変更させる。その後、ステップＳ１０９の処理に進む。表示画面の変更は、例えば図１０に示すように、「商品名」と「説明」との表示色を反転させる。
【００６８】
（ステップＳ１０９）管理装置制御部３１は、電子棚札端末１の表示部１２が表示している表示画面と、大型電子棚札端末２の表示入力部２２が表示している表示画面との表示を元の表示に戻すまでの時間を計測するタイマーを開始する。その後、ステップＳ１１０の処理に進む。
【００６９】
（ステップＳ１１０）ステップＳ１０５、またはステップＳ１０７、またはステップＳ１０８で表示画面を変更させた電子棚札端末１の入力部１６は、表示を戻す指示であるスイッチ１６０の押下を受け付ける。電子棚札端末１の無線通信部１４は、スイッチ１６０が押下された場合、スイッチ１６０が押下されたことを示す情報をＥＳＬサーバ３に送信する。ＥＳＬサーバ３の管理装置通信部３４は、スイッチ１６０が押下されたことを示す情報を受信する。ＥＳＬサーバ３の管理装置制御部３１は、管理装置通信部３４が電子棚札端末１からスイッチ１６０が押下されたことを示す情報を受信したか否かを判定する。管理装置制御部３１は、管理装置通信部３４が電子棚札端末１からスイッチ１６０が押下されたことを示す情報を受信したと判定した場合にはステップＳ１１２の処理に進み、それ以外の場合にはステップＳ１１１の処理に進む。
【００７０】
（ステップＳ１１１）管理装置制御部３１は、ステップＳ１０９で開始したタイマーが電子棚札端末１の表示部１２が表示している表示画面と、大型電子棚札端末２の表示入力部２２が表示している表示画面との表示を元の表示に戻すまでの時間を経過したか否かを判定する。管理装置制御部３１は、ステップＳ１０９で開始したタイマーが電子棚札端末１の表示部１２が表示している表示画面と、大型電子棚札端末２の表示入力部２２が表示している表示画面との表示を元の表示に戻すまでの時間を経過したと判定した場合にはステップＳ１１２の処理に進み、それ以外の場合にはステップＳ１１０の処理に戻る。
【００７１】
（ステップＳ１１２）管理装置制御部３１は、ステップＳ１０５、またはステップＳ１０７、またはステップＳ１０８で表示を変更させた電子棚札端末１の表示部１２が表示する表示画面と、ステップＳ１０３で表示を変更させた大型電子棚札端末２の表示入力部２２が表示する表示画面との表示を元に戻す。その後、処理を終了する。
【００７２】
上述したとおり、本実施形態によれば、大型電子棚札端末２の表示入力部２２がスイッチ７０２１〜７０２３の入力を受け付ける。また、無線通信部２４は、入力を受け付けたスイッチ７０２１〜７０２３のスイッチ番号を示す情報をＥＳＬサーバ３に送信する。また、ＥＳＬサーバ３は、管理装置記憶部３３に管理情報として、電子棚札端末１と大型電子棚札端末２との関連性を示した情報を記憶しており、関連している電子棚札端末１が表示している表示画面の内容を変更させる。これにより、ＥＳＬサーバ３は、電子棚札端末１と大型電子棚札端末２とが表示する内容を連携して変更させることができる。
【００７３】
よって、電子棚札システムをスーパーなどの商品棚で用いた場合、大型電子棚札端末２に表示されている商品がどこに配置されているのかわからない場合でも、顧客は、大型電子棚札端末２が表示する商品名を表示しているスイッチ７０２１〜７０２３を押下することで、その商品の前方にある電子棚札端末１の表示が変化するため、顧客は、容易にその商品を見つけることができる。
【００７４】
なお、上述した実施形態では大型電子棚札端末２が備える表示入力部２２は、タッチパネルを用いた例を用いて説明したが、これに限らない。例えば、表示入力部２２は液晶ディスプレイとスイッチとを備えていてもよい。図１２は、本実施形態における大型電子棚札端末２の表示入力部２２が、液晶ディスプレイとスイッチとを備えた場合の外観を示した概要図である。
【００７５】
図示する例では、表示入力部２２は、液晶ディスプレイ１２００と、スイッチ番号「１」のスイッチ１２０１と、スイッチ番号「２」のスイッチ１２０２と、スイッチ番号「３」のスイッチ１２０３とを備えている。スイッチ番号「１」のスイッチ１２０１は、上述したスイッチ７０２１と同様の入力を受け付ける。また、スイッチ番号「２」のスイッチ１２０２は、上述したスイッチ７０２２と同様の入力を受け付ける。また、スイッチ番号「３」のスイッチ１２０３は、上述したスイッチ７０２３と同様の入力を受け付ける。これにより、大型電子棚札端末２の表示入力部２２が、液晶ディスプレイとスイッチとを備えた場合においても、上述したように、ＥＳＬサーバ３は、電子棚札端末１と大型電子棚札端末２とが表示する内容を連携して変更させることができる。
【００７６】
（第２の実施形態）
次に本発明の第２の実施形態について説明する。本実施形態における販売店システムの構成は、第１の実施形態における販売店システムの構成と同様の構成である（図１）。また、本実施形態における電子棚札端末１の構成は、第１の実施形態における電子棚札端末１の構成と同様の構成である（図２）。また、本実施形態における大型電子棚札端末２の構成は、第１の実施形態における大型電子棚札端末２の構成と同様の構成である（図３）。また、本実施形態におけるＥＳＬサーバ３の構成は、第１の実施形態におけるＥＳＬサーバ３の構成と同様の構成である（図４）。また、本実施形態における電子棚札端末１と大型電子棚札端末２とが設置される棚の外観は、第１の実施形態における棚の外観と同様の外観である（図５）。
【００７７】
次に、ＥＳＬサーバ３の管理装置記憶部３３が記憶する管理情報について説明する。管理情報は、電子棚札端末１の表示部１２が表示する表示情報と、大型電子棚札端末２が表示する表示情報とを関連づけて記憶している。
【００７８】
図１３は、本実施形態におけるＥＳＬサーバ３の管理装置記憶部３３が記憶する管理情報のデータ構造を示した概略図である。図示する例では、管理情報は表形式のデータ構造を有しており、「商品コード」と、「商品名」と、「説明」と、「産地」と、「詳細説明」と、「価格」と、「棚札コード」と、「サイズ」と、「カラー」と、「大型棚札コード」と、「表示データ」とのデータ項目を有する。また、管理情報は、各データ項目の情報を行毎に関連付けて記憶している。
【００７９】
「商品コード」は、商品の種類を一意に特定する識別子である。「商品名」は、商品の名称である。「説明」は、商品を説明する文章である。「産地」は商品の産地である。「詳細説明」は、商品の詳細を説明する文章である。「価格」は、商品の価格である。なお、「商品コード」には、「商品名」と、「説明」と、「産地」と、「詳細説明」と、「価格」とが関連付けられており、「商品コード」を一意に特定すると、「商品名」と、「説明」と、「産地」と、「詳細説明」と、「価格」とが一意に特定される。
【００８０】
「棚札コード」は、電子棚札システムに含まれる電子棚札端末１を一意に特定する識別子である。「サイズ」は、電子棚札端末１の大きさを示す情報である。具体的には、サイズ「Ｓ」は、電子棚札端末１の大きさは小型であることを示す。また、サイズ「Ｍ」は、電子棚札端末１の大きさは中型であることを示す。
【００８１】
「カラー」は、電子棚札端末１が備える表示部１２が表示することができる色を示す情報である。具体的には、カラー「カラー」は、電子棚札端末１が備える表示部１２はカラー表示を行うことができることを示す。また、カラー「モノクロ」は、電子棚札端末１が備える表示部１２はモノクロ表示を行うことができることを示す。
【００８２】
なお、「棚札コード」には「サイズ」と、「カラー」とが関連付けられており、「棚札コード」を一意に特定すると「サイズ」と、「カラー」とが一意に特定される。
【００８３】
「大型棚札コード」は、電子棚札システムに含まれる大型電子棚札端末２を一意に特定する識別子である。「表示データ」は、大型電子棚札端末２の表示入力部２２に表示させる画面を一意に特定する情報である。
【００８４】
次に、管理情報の各行が示す内容について説明する。例えば、行１３０１に示す例では、商品コード「１０６８７」で特定される商品の商品名は「ダージリン」であり、説明は「一袋  １００ｇ入」であり、産地は「インド」であり、詳細説明は「紅茶の中の紅茶。味と香りのバランスがよく、とくに自然のままで甘みがある味わいは「マスカットフレーバー」の紅茶として珍重されています。」であり、価格は「４２０」であることを示している。
【００８５】
また、商品コード「１０６８７」で特定される商品の情報を表示する電子棚札端末１を特定する棚札コードは「１００１」であり、棚札コード「１００１」で一意に特定される電子棚札端末１のサイズは「Ｍ」であり、カラーは「モノクロ」であることを示している。
【００８６】
また、表示データ「１１」に関連づけられている商品名を表示している電子棚札端末１のスイッチ１６０が押下された場合、大型棚札コード「８０７５」で一意に特定される大型電子棚札端末２は、表示データ「１１」に関連づけられている画面を表示する。他の行が示す内容については図示するとおりである。
【００８７】
次に、大型電子棚札端末２の表示入力部２２が表示する画面例について図１４〜図１６に基づいて説明する。大型電子棚札端末２の表示入力部２２が画面を表示する方法としては、ＥＳＬサーバ３が図１４〜図１６に示す販売促進情報などを含んだ画像を表示するための画像データを作成して大型電子棚札端末２に送信し、大型電子棚札端末２の表示入力部２２が、送信された画像データに基づいた画像を表示する方法がある。なお、大型電子棚札端末２の表示入力部２２が画面を表示する方法はこの方法に限らず、どのような方法を用いてもよい。例えば、ＥＳＬサーバ３が図１４〜図１６に示す画面に含まれる販売促進情報などの各種の情報を大型電子棚札端末２に送信し、大型電子棚札端末２の制御部２１が、送信された情報に基づいて図１４〜図１６に示す商品名などを含んだ画像を表示するための画像データを作成し、表示入力部２２がこの画像データに基づいた画像を表示する方法を用いてもよい。
【００８８】
図１４は、本実施形態における大型電子棚札端末２の表示入力部２２が表示する販売促進情報初期画面を示した概略図である。図示する例では、販売促進情報初期画面は、「今週の特選品  今週は紅茶のご紹介をしています。  気になる棚札のボタンを押してください。」と表示している。
【００８９】
図１５は、本実施形態における大型電子棚札端末２の表示入力部２２が表示する詳細説明画面を示した概略図である。詳細説明画面は、大型電子棚札端末２が図１４に示した販売促進情報初期画面を表示している際に、操作者が電子棚札端末１のスイッチ１６０を押した場合に、大型電子棚札端末２の表示入力部２２が表示する画面である。
【００９０】
図示する例は、大型電子棚札端末２が図１４に示した販売促進情報初期画面を表示している際に、操作者が商品名「アッサム」を表示している電子棚札端末１のスイッチ１６０を押した場合に、大型電子棚札端末２の表示入力部２２が表示する詳細説明画面である。具体的には、表示入力部２２は、画面上部にタイトル「特選品のご紹介」を表示し、画面中央部に、商品名「アッサム」の詳細説明「アッサム  インド３大紅茶の１つです。茶葉が大きく、味わいが濃く出るので、ミルクティーに適しています。」を表示し、画面下部に、「インド三大紅茶  ［押］」スイッチ１５０１を表示している。
【００９１】
図１６は、本実施形態における大型電子棚札端末２の表示入力部２２が表示する類似商品紹介画面を示した概略図である。類似商品紹介画面は、大型電子棚札端末２が図１５に示した詳細説明画面を表示している際に、操作者が大型電子棚札端末２の表示入力部２２が表示するスイッチ１５０１を押した場合に、大型電子棚札端末２の表示入力部２２が表示する画面である。
【００９２】
図示する例は、大型電子棚札端末２が図１５に示した詳細説明画面を表示している際に、操作者がスイッチ１５０１を押した場合に、大型電子棚札端末２の表示入力部２２が表示する類似商品紹介画面である。具体的には、表示入力部２２は、画面上部にタイトル「特選品のご紹介」を表示し、画面中央部に、「インド三大紅茶  ・ダージリン  ・ニルギリ  ・アッサム  他にもスリランカ産をはじめ各種取りそろえております」を表示している。
【００９３】
次に、電子棚札端末１の表示部１２が表示する画面例について図１７〜図２３に基づいて説明する。電子棚札端末１の表示部１２が画面を表示する方法としては、ＥＳＬサーバ３が図１７〜図２３に示す商品名などを含んだ画像を表示するための画像データを作成して電子棚札端末１に送信し、電子棚札端末１の表示部１２が、送信された画像データに基づいた画像を表示する方法がある。なお、電子棚札端末１の表示部１２が画面を表示する方法はこの方法に限らず、どのような方法を用いてもよい。例えば、ＥＳＬサーバ３が図１７〜図２３に示す画面に含まれる商品名などの各種の情報を電子棚札端末１に送信し、電子棚札端末１の制御部１１が、送信された情報に基づいて図１７〜図２３に示す商品名などを含んだ画像を表示するための画像データを作成し、表示部１２がこの画像データに基づいた画像を表示する方法を用いてもよい。
【００９４】
図１７〜図２０は、本実施形態における電子棚札端末１の表示部１２が表示する「商品情報表示画面」を示した概略図である。商品情報表示画面は、画面上部に「商品名」を表示し、画面中央部に「説明」を表示し、画面下部に「価格」を表示する。
【００９５】
図１７に示す例では、電子棚札端末１の表示部１２は、「ダージリン」を画面上部に表示し、「一袋  １００ｇ入」を画面中央部に表示し、「４２０円」を画面下部に表示している。
【００９６】
図１８に示す例では、電子棚札端末１の表示部１２は、「ニルギリ」を画面上部に表示し、「一袋  １００ｇ入」を画面中央部に表示し、「３５０円」を画面下部に表示している。
【００９７】
図１９に示す例では、電子棚札端末１の表示部１２は、「アッサム」を画面上部に表示し、「一袋  １００ｇ入」を画面中央部に表示し、「３８０円」を画面下部に表示している。
【００９８】
図２０に示す例では、電子棚札端末１の表示部１２は、「ウバ」を画面上部に表示し、「一袋  １００ｇ入」を画面中央部に表示し、「３９０円」を画面下部に表示している。
【００９９】
図２１〜図２３は、電子棚札端末１の表示部１２が表示する「表示変更後の商品情報表示画面」を示した概略図である。図１７〜図１９に示した例と異なる点は、「商品名」と「説明」との表示色が反転している点である。
【０１００】
電子棚札端末１の表示部１２が「表示変更後の商品情報表示画面」を表示する例としては、電子棚札端末１の表示部１２が商品情報表示画面を表示している際に、操作者が電子棚札端末１のスイッチ１６０を押下した場合や、大型電子棚札端末２が図１５に示した詳細説明画面を表示している際に、操作者がスイッチ１５０１を押した場合などがある。詳細については後述する。
【０１０１】
次に、ＥＳＬサーバ３が電子棚札端末１と大型電子棚札端末２とを連携して制御する手順について説明する。本実施形態では、ＥＳＬサーバ３は、電子棚札端末１と大型電子棚札端末２とを連携して制御することにより、図１４〜図１６に示すように、大型電子棚札端末２の表示入力部２２が表示する内容を変化させたり、図１７〜図２３に示すように、電子棚札端末１の表示部１２が表示する内容を変化させたりする。
【０１０２】
図２４は、本実施形態におけるＥＳＬサーバ３が電子棚札端末１と大型電子棚札端末２とを連携して制御する手順を示したフローチャートである。
【０１０３】
（ステップＳ２０１）ＥＳＬサーバ３の管理装置制御部３１は、大型電子棚札端末２の表示モードを設定する。その後、ステップＳ２０２の処理に進む。本実施形態では、表示入力部２２が販売促進情報初期画面を表示するモードに設定する。
【０１０４】
（ステップＳ２０２）ＥＳＬサーバ３の管理装置制御部３１は、大型電子棚札端末２の表示入力部２２に、ステップＳ２０１で特定した表示モードで表示する画面を表示させる。また、ＥＳＬサーバ３の管理装置制御部３１は、電子棚札端末１の表示部１２に商品情報表示画面を表示させる。その後、ステップＳ２０３の処理に進む。このとき、大型電子棚札端末２の表示入力部２２が表示する画面は、例えば図１４に示す販売促進情報初期画面である。また、電子棚札端末１の表示部１２が表示する画面は、例えば図１７〜図２０に示す商品情報表示画面である。
【０１０５】
（ステップＳ２０３）電子棚札端末１の入力部１６は、大型電子棚札端末２に、自電子棚札端末１が表示している商品名の商品に関連付けられている情報を表示させる指示であるスイッチ１６０の押下を受け付ける。スイッチ１６０が押下された場合、電子棚札端末１の無線通信部１４は、ＥＳＬサーバ３に自電子棚札端末１の棚札コードを送信する。ＥＳＬサーバ３の管理装置通信部３４は、スイッチ１６０が押下された電子棚札端末１の棚札コードを受信する。ＥＳＬサーバ３の管理装置制御部３１は、管理装置通信部３４が電子棚札端末１から棚札コードを受信したか否かを判定する。管理装置制御部３１は、管理装置通信部３４が電子棚札端末１から棚札コードを受信したと判定した場合にはステップＳ２０４の処理に進み、それ以外の場合にはステップＳ２０３の処理を再度実行する。
【０１０６】
（ステップＳ２０４）管理装置制御部３１は、ステップＳ２０３で管理装置通信部３４が受信した棚札コードに基づいて、スイッチ１６０が押下された電子棚札端末１を識別する。その後、ステップＳ２０５の処理に進む。
【０１０７】
（ステップＳ２０５）管理装置制御部３１は、ステップＳ２０４で識別した電子棚札端末１が表示している商品名の商品に関連付けられている表示データに基づいて、大型電子棚札端末２の表示入力部２２に表示させる画面を決定する。続いて、管理装置制御部３１は、決定した画面（例えば、詳細説明画面）を管理装置記憶部３３が記憶する管理情報から読み出し、その後、ステップＳ２０６に進む。
【０１０８】
（ステップＳ２０６）管理装置制御部３１は、ステップＳ２０５で決定した画面を大型電子棚札端末２の表示入力部２２に表示させる。その後、ステップＳ２０７の処理に進む。このとき、大型電子棚札端末２の表示入力部２２が表示する画面は、例えば図１５に示すような詳細説明画面である。
【０１０９】
（ステップＳ２０７）管理装置制御部３１は、ステップＳ２０４で識別した電子棚札端末１の表示部１２が表示している商品情報表示画面の表示を変更させる。その後、ステップＳ２０８の処理に進む。このとき表示部１２が表示する商品情報表示画面は、例えば図２１〜図２３に示すように、「商品名」と「説明」との表示色を反転させる。
【０１１０】
（ステップＳ２０８）管理装置制御部３１は、電子棚札端末１の表示部１２が表示している表示画面と、大型電子棚札端末２の表示入力部２２が表示している表示画面との表示を元の表示に戻すまでの時間を計測する第１のタイマーを開始する。その後、ステップＳ２０９の処理に進む。
【０１１１】
（ステップＳ２０９）電子棚札端末１の入力部１６は、表示を変更させる指示であるスイッチ１６０の押下を受け付ける。スイッチ１６０が押下された場合、無線通信部１４は、ＥＳＬサーバ３に自電子棚札端末１の棚札コードを送信する。ＥＳＬサーバ３の管理装置通信部３４は、スイッチ１６０が押下された電子棚札端末１の棚札コードを受信する。ＥＳＬサーバ３の管理装置制御部３１は、管理装置通信部３４が電子棚札端末１から棚札コードを受信したか否かを判定する。管理装置制御部３１は、管理装置通信部３４が電子棚札端末１から棚札コードを受信したと判定した場合にはステップＳ２０４の処理に戻り、それ以外の場合にはステップＳ２１０の処理に進む。
【０１１２】
（ステップＳ２１０）大型電子棚札端末２の表示入力部２２は、スイッチ１５０１の入力（押下）を受け付ける。スイッチ１５０１が押下された場合、大型電子棚札端末２の無線通信部２４は、ＥＳＬサーバ３に自大型電子棚札端末２の大型棚札コードと押下されたスイッチの種類を示す情報を送信する。ＥＳＬサーバ３の管理装置通信部３４は、大型電子棚札端末２の大型棚札コードと押下されたスイッチの種類を示す情報を受信する。ＥＳＬサーバ３の管理装置制御部３１は、管理装置通信部３４が大型電子棚札端末２から大型電子棚札端末２の大型棚札コードと押下されたスイッチの種類を示す情報を受信したか否かを判定する。管理装置制御部３１は、管理装置通信部３４が大型電子棚札端末２から大型電子棚札端末２の大型棚札コードと押下されたスイッチの種類を示す情報を受信したと判定した場合にはステップＳ２１１の処理に進み、それ以外の場合にはステップＳ２１６の処理に進む。
【０１１３】
（ステップＳ２１１）管理装置制御部３１は、ステップＳ２１０で管理装置通信部３４が受信した押下されたスイッチの種類を示す情報に基づいて、押下されたスイッチの種類を識別する。その後、ステップＳ２１２の処理に進む。
【０１１４】
（ステップＳ２１２）管理装置制御部３１は、ステップＳ２１１で識別したスイッチの種類に対応した画面を、大型電子棚札端末２の表示入力部２２に表示させる。その後、ステップＳ２１３の処理に進む。このとき、大型電子棚札端末２の表示入力部２２に表示させる画面は、例えば図１６に示すような詳細説明画面である。
【０１１５】
（ステップＳ２１３）管理装置制御部３１は、ステップＳ２１１で識別したスイッチの種類に対応して、電子棚札端末１の表示部１２が表示する内容を変更させる。その後、ステップＳ２１４の処理に進む。表示画面の変更は、例えば図２１〜図２３に示すように、「商品名」と「説明」との表示色を反転させる。
【０１１６】
具体的には、「インド三大紅茶  ［押］」スイッチ１５０１を操作者に押下された場合、管理装置制御部３１は、インド三大紅茶である「ダージリン」と、「ニルギリ」と、「アッサム」とを商品名として表示している電子棚札端末１の表示部１２が表示している「商品名」と「説明」との表示色を反転させる。
【０１１７】
（ステップＳ２１４）管理装置制御部３１は、電子棚札端末１の表示部１２が表示している表示画面と、大型電子棚札端末２の表示入力部２２が表示している表示画面との表示を元の表示に戻すまでの時間を計測する第２のタイマーを開始する。その後、ステップＳ２１５の処理に進む。
【０１１８】
（ステップＳ２１５）管理装置制御部３１は、ステップＳ２１４で開始した第２のタイマーが、電子棚札端末１の表示部１２が表示している表示画面と、大型電子棚札端末２の表示入力部２２が表示している表示画面との表示を元の表示に戻すまでの時間を過ぎたか否かを判定する。管理装置制御部３１は、ステップＳ２１４で開始した第２のタイマーが、電子棚札端末１の表示部１２が表示している表示画面と、大型電子棚札端末２の表示入力部２２が表示している表示画面との表示を元の表示に戻すまでの時間を過ぎたと判定した場合にはステップＳ２１７の処理に進み、それ以外の場合にはステップＳ２１５の処理を再度実行する。
【０１１９】
（ステップＳ２１６）管理装置制御部３１は、ステップＳ２０８で開始した第１のタイマーが、電子棚札端末１の表示部１２が表示している表示画面と、大型電子棚札端末２の表示入力部２２が表示している表示画面との表示を元の表示に戻すまでの時間を過ぎたか否かを判定する。管理装置制御部３１は、ステップＳ２０８で開始した第１のタイマーが、電子棚札端末１の表示部１２が表示している表示画面と、大型電子棚札端末２の表示入力部２２が表示している表示画面との表示を元の表示に戻すまでの時間を過ぎたと判定した場合にはステップＳ２１７の処理に進み、それ以外の場合にはステップＳ２０９の処理に戻る。
【０１２０】
（ステップＳ２１７）管理装置制御部３１は、ステップＳ２０７またはステップＳ２１３で表示画面を変更させた電子棚札端末１の表示部１２が表示している表示画面と、ステップＳ２０６またはステップＳ２１２で表示画面を変更させた大型電子棚札端末２の表示入力部２２が表示している表示画面との表示を元に戻す。その後、処理を終了する。
【０１２１】
上述したとおり、本実施形態によれば、電子棚札端末１の入力部１６はスイッチ１６０の入力を受け付ける。また、無線通信部１４は、スイッチ１６０の入力を受け付けたことを示す情報をＥＳＬサーバ３に送信する。また、ＥＳＬサーバ３は、管理装置記憶部３３に管理情報として、電子棚札端末１に関連づけられている大型電子棚札端末２の大型棚札コードと、表示する画面を示す表示データとを記憶しており、この情報とスイッチ１６０の入力を受け付けた電子棚札端末１の棚札コードとに基づいて、大型電子棚札端末２に表示データで示される画面を表示させる。これにより、ＥＳＬサーバ３は、電子棚札端末１と大型電子棚札端末２とが表示する内容を連携して変更させることができる。
【０１２２】
よって、電子棚札システムをスーパーなどの商品棚で用いた場合、顧客は、詳細な情報を知りたい商品の電子棚札端末１のスイッチ１６０を押すことで、その商品の詳細な説明を大型電子棚札端末２に表示させることができる。
【０１２３】
（第３の実施形態）
次に本発明の第３の実施形態について説明する。本実施形態では、電子棚札システムを銀行の帳票記入台で用いた場合の例について説明する。図２５は、本実施形態の電子棚札システムの構成を示した図である。
【０１２４】
図示する例では、電子棚札システムは、電子棚札端末１と、大型電子棚札端末２と、ＥＳＬサーバ３と、アクセスポイント４と、中継機５−１〜５−３と、ハンディ端末６とを備えている。ＥＳＬサーバ３はバックヤード１００に設置されている。電子棚札端末１と、大型電子棚札端末２と、アクセスポイント４と、中継機５−１〜５−３とは店舗２００に設置されている。
【０１２５】
ＥＳＬサーバ３と、アクセスポイント４と、中継機５−１，５−２とは有線ネットワークで接続されており、互いにデータ通信を行うことができる。また、アクセスポイント４と、中継機５−３およびハンディ端末６とは無線ＬＡＮなどの無線ネットワークで接続されており、互いにデータ通信を行うことができる。また、電子棚札端末１及び大型電子棚札端末２と中継機５−１〜５−３とは、近距離無線方式（例えば、ＩＥＥＥ８０２．１５．４）を用いた無線ネットワークで接続されており、互いにデータ通信を行うことができる。これにより、電子棚札端末１及び大型電子棚札端末２とＥＳＬサーバ３とは互いにデータ通信を行うことができる。また、ＥＳＬサーバ３とハンディ端末６とは互いにデータ通信を行うことができる。
【０１２６】
なお、電子棚札端末１及び大型電子棚札端末２と中継機５−１〜５−３との間の無線ネットワークで近距離無線方式を用いることにより、電子棚札端末１及び大型電子棚札端末２を小型化および長電池寿命化することができ、電子棚札端末１及び大型電子棚札端末２と中継機５−１〜５−３との間の通信速度を高速化することができる。
【０１２７】
電子棚札端末１は帳票名などを表示する。大型電子棚札端末２は、取引名称などを表示する。ＥＳＬサーバ３は電子棚札端末１と大型電子棚札端末２との管理を行う。アクセスポイント４と中継機５−１〜５−３とはデータ通信を中継する。ハンディ端末６は、ＥＳＬサーバ３に入力する情報を受け付け、この情報をＥＳＬサーバ３に送信する。
【０１２８】
なお、本実施形態における電子棚札端末１の構成は、第１の実施形態における電子棚札端末１の構成と同様の構成である（図２）。また、本実施形態における大型電子棚札端末２の構成は、第１の実施形態における大型電子棚札端末２の構成と同様の構成である（図３）。また、本実施形態におけるＥＳＬサーバ３の構成は、第１の実施形態におけるＥＳＬサーバ３の構成と同様の構成である（図４）。
【０１２９】
次に、電子棚札端末１と大型電子棚札端末２とが設置される帳票記入台について説明する。図２６は、本実施形態における電子棚札端末１と大型電子棚札端末２とが設置される帳票記入台の外観を示した概略図である。図示する例では、帳票記入台２６０は、帳票を配置する帳票入れ２６１〜２６４を備えている。帳票入れ２６１〜２６４の前方には電子棚札端末１−１〜１−４が設置されている。また、帳票記入台２６０の中央には大型電子棚札端末２が設置されている。
【０１３０】
次に、大型電子棚札端末２の表示入力部２２が表示する画面例について図２７〜図２８に基づいて説明する。大型電子棚札端末２の表示入力部２２が画面を表示する方法としては、ＥＳＬサーバ３が図２７〜図２８に示す取引名称などを含んだ画像を表示するための画像データを作成して大型電子棚札端末２に送信し、大型電子棚札端末２の表示入力部２２が、送信された画像データに基づいた画像を表示する方法がある。なお、大型電子棚札端末２の表示入力部２２が画面を表示する方法はこの方法に限らず、どのような方法を用いてもよい。例えば、ＥＳＬサーバ３が図２７〜図２８に示す画面に含まれる取引名称などの各種の情報を大型電子棚札端末２に送信し、大型電子棚札端末２の制御部２１が、送信された情報に基づいて図２７〜図２８に示す取引名称などを含んだ画像を表示するための画像データを作成し、表示入力部２２がこの画像データに基づいた画像を表示する方法を用いてもよい。
【０１３１】
図２７は、本実施形態における大型電子棚札端末２の表示入力部２２が表示する取引名称を表示する画面を示した概略図である。取引名称を表示する画面は、タイトル表示領域２７０１と、スイッチ表示領域２７０２とを含んでいる。
【０１３２】
タイトル表示領域２７０１は、取引名称を表示する画面のタイトルを表示する領域である。スイッチ表示領域７０２は、スイッチ番号「１」のスイッチ２７０３と、スイッチ番号「２」のスイッチ２７０４と、スイッチ番号「３」のスイッチ２７０５と、スイッチ番号「４」のスイッチ２７０６とを表示する領域である。このスイッチ２７０３〜２７０６は、操作者による入力を受け付ける。なお、大型電子棚札端末２のスイッチ表示領域７０２に表示されているスイッチ２７０３〜２７０６に表示する商品名は、ＥＳＬサーバ３の管理装置記憶部３３が記憶する管理情報に基づいている。
【０１３３】
図２７に示す画面例では、大型電子棚札端末２の表示入力部２２は、「ご希望のお取引」をタイトル表示領域２７０１に表示している。また、表示入力部２２は、スイッチ番号「１」のスイッチ２７０３に「１．お預け入れ」を表示している。また、表示入力部２２は、スイッチ番号「２」のスイッチ２７０４に「２．お引き出し」を表示している。また、表示入力部２２は、スイッチ番号「３」のスイッチ２７０５に「３．定期預金」を表示している。また、表示入力部２２は、スイッチ番号「４」のスイッチ２７０６に「４．ローン」を表示している。
【０１３４】
図２８は、大型電子棚札端末２が図２７に示した「取引名称を表示する画面」を表示している際に、操作者がスイッチ番号「１」のスイッチ２７０３を押した場合における、表示入力部２２の表示例を示した概略図である。図２７に示した例と異なる点は、スイッチ番号「１」のスイッチ２７０３の表示色が反転している点である。これは、スイッチ番号「１」のスイッチ２７０３が操作者によって押されたことを示している。
【０１３５】
次に、電子棚札端末１の表示部１２が表示する画面例について図２９〜図３０に基づいて説明する。電子棚札端末１の表示部１２が画面を表示する方法としては、ＥＳＬサーバ３が図２９〜図３０に示す帳票名などを含んだ画像を表示するための画像データを作成して電子棚札端末１に送信し、電子棚札端末１の表示部１２が、送信された画像データに基づいた画像を表示する方法がある。なお、電子棚札端末１の表示部１２が画面を表示する方法はこの方法に限らず、どのような方法を用いてもよい。例えば、ＥＳＬサーバ３が図２９〜図３０に示す画面に含まれる帳票名などの各種の情報を電子棚札端末１に送信し、電子棚札端末１の制御部１１が、送信された情報に基づいて図２９〜図３０に示す帳票名などを含んだ画像を表示するための画像データを作成し、表示部１２がこの画像データに基づいた画像を表示する方法を用いてもよい。
【０１３６】
図２９は、本実施形態における電子棚札端末１の表示部１２が表示する「帳票名表示画面」を示した概略図である。帳票名表示画面は、画面に「帳票名」を表示する。図２９に示す例では、電子棚札端末１の表示部１２は、「お預け入れ用」を画面に表示している。
【０１３７】
図３０は、電子棚札端末１が図２９に示した商品情報表示画面を表示している際に、大型電子棚札端末２が表示する「１．お預け入れ」を表示しているスイッチ２７０３（スイッチ番号「１」のスイッチ２７０３）が操作者に押された場合における商品情報表示画面の表示例を示した概略図である。
【０１３８】
図２９に示した例と異なる点は、表示部１２の表示色が反転している点である。これは、大型電子棚札端末２が表示するスイッチ２７０３（「１．お預け入れ」）が操作者により選択入力されたことを示している。
【０１３９】
次に、ＥＳＬサーバ３が電子棚札端末１と大型電子棚札端末２とを連携して制御する手順について説明する。本実施形態では、ＥＳＬサーバ３が電子棚札端末１と大型電子棚札端末２とを連携して制御することにより、図２７〜図３０に示すように、大型電子棚札端末２の表示入力部２２が操作者より入力を受け付けた場合、電子棚札端末１の表示部１２が表示する内容が変化する。
【０１４０】
図３１は、本実施形態におけるＥＳＬサーバ３が電子棚札端末１と大型電子棚札端末２とを連携して制御する手順を示したフローチャートである。
【０１４１】
（ステップＳ３０１）ＥＳＬサーバ３の管理装置制御部３１は、大型電子棚札端末２の表示モードを設定する。その後、ステップＳ３０２の処理に進む。本実施形態では、大型電子棚札端末２の表示入力部２２が「取引名称を表示する画面」を表示するモードに設定する。
【０１４２】
（ステップＳ３０２）ＥＳＬサーバ３の管理装置制御部３１は、大型電子棚札端末２の表示入力部２２に、ステップＳ３０１で特定した表示モードで表示する画面を表示させる。また、ＥＳＬサーバ３の管理装置制御部３１は、電子棚札端末１の表示部１２に帳票名表示画面を表示させる。その後、ステップＳ３０３の処理に進む。このとき、大型電子棚札端末２の表示入力部２２が表示する画面は、例えば図２７に示す画面である。また、電子棚札端末１の表示部１２が表示する画面は、例えば図２９に示す画面である。
【０１４３】
（ステップＳ３０３）大型電子棚札端末２の表示入力部２２は、表示している取引名称のスイッチ２７０３〜２７０６の入力（押下）を受け付ける。取引名称のスイッチ２７０３〜２７０６が押下された場合、無線通信部１４は、ＥＳＬサーバ３に押下されたスイッチ２７０３〜２７０６のスイッチ番号を示す情報を送信する。ＥＳＬサーバ３の管理装置通信部３４は、押下されたスイッチ２７０３〜２７０６のスイッチ番号を示す情報を受信する。ＥＳＬサーバ３の管理装置制御部３１は、管理装置通信部３４が大型電子棚札端末２から押下されたスイッチ２７０３〜２７０６のスイッチ番号を示す情報を受信したか否かを判定する。管理装置制御部３１は、管理装置通信部３４が大型電子棚札端末２から押下されたスイッチ２７０３〜２７０６のスイッチ番号を示す情報を受信したと判定した場合にはステップＳ３０４の処理に進み、それ以外の場合にはステップＳ３０３の処理を再度実行する。
【０１４４】
（ステップＳ３０４）管理装置制御部３１は、ステップＳ３０３で管理装置通信部３４が受信した押下されたスイッチ２７０３〜２７０６のスイッチ番号を示す情報に基づいて、押下されたスイッチ２７０３〜２７０６はスイッチ番号「１」のスイッチ２７０３であるか否かを判定する。管理装置制御部３１は、押下されたスイッチ２７０３〜２７０６はスイッチ番号「１」のスイッチ２７０３であると判定した場合にはステップＳ３０５の処理に進み、それ以外の場合にはステップＳ３０６の処理に進む。
【０１４５】
（ステップＳ３０５）管理装置制御部３１は、スイッチ番号「１」のスイッチ２７０３に表示している取引名称で指定される取引で用いる帳票の帳票名を表示している電子棚札端末１の表示画面を変更させる。その後、ステップＳ３１１の処理に進む。表示画面の変更は、例えば図３０に示すように、帳票名の表示色を反転させる。
【０１４６】
（ステップＳ３０６）管理装置制御部３１は、ステップＳ３０３で管理装置通信部３４が受信した押下されたスイッチ２７０３〜２７０６の番号を示す情報に基づいて、押下されたスイッチ２７０３〜２７０６はスイッチ番号「２」のスイッチ２７０４であるか否かを判定する。管理装置制御部３１は、押下されたスイッチ２７０３〜２７０６はスイッチ番号「２」のスイッチ２７０４であると判定した場合にはステップＳ３０７の処理に進み、それ以外の場合にはステップＳ３０８の処理に進む。
【０１４７】
（ステップＳ３０７）管理装置制御部３１は、スイッチ番号「２」のスイッチ２７０４に表示している取引名称で指定される取引で用いる帳票の帳票名を表示している電子棚札端末１の表示画面を変更させる。その後、ステップＳ３１１の処理に進む。表示画面の変更は、例えば図３０に示すように、帳票名の表示色を反転させる。
【０１４８】
（ステップＳ３０８）管理装置制御部３１は、ステップＳ３０３で管理装置通信部３４が受信した押下されたスイッチ番号を示す情報に基づいて、押下されたスイッチ２７０３〜２７０６はスイッチ番号「３」のスイッチ２７０５であるか否かを判定する。管理装置制御部３１は、押下されたスイッチ２７０３〜２７０６はスイッチ番号「３」のスイッチ２７０５であると判定した場合にはステップＳ３０９の処理に進み、それ以外の場合にはステップＳ３１０の処理に進む。
【０１４９】
（ステップＳ３０９）管理装置制御部３１は、スイッチ番号「３」のスイッチ２７０５に表示している取引名称で指定される取引で用いる帳票の帳票名を表示している電子棚札端末１の表示画面を変更させる。その後、ステップＳ３１１の処理に進む。表示画面の変更は、例えば図３０に示すように、帳票名の表示色を反転させる。
【０１５０】
（ステップＳ３１０）管理装置制御部３１は、スイッチ番号「４」のスイッチ２７０６に表示している取引名称で指定される取引で用いる帳票の帳票名を表示している電子棚札端末１の表示画面を変更させる。その後、ステップＳ３１１の処理に進む。表示画面の変更は、例えば図３０に示すように、帳票名の表示色を反転させる。
【０１５１】
（ステップＳ３１１）管理装置制御部３１は、電子棚札端末１の表示部１２が表示している表示画面と、大型電子棚札端末２の表示入力部２２が表示している表示画面との表示を元の表示に戻すまでの時間を計測するタイマーを開始する。その後、ステップＳ３１２の処理に進む。
【０１５２】
（ステップＳ３１２）ステップＳ３０５、またはステップＳ３０７、またはステップＳ３０９、またはステップＳ３１０で表示画面を変更させた電子棚札端末１は、入力部１６が備えるスイッチ１６０が押下された場合、スイッチ１６０が押下されたことを示す情報をＥＳＬサーバ３に送信する。ＥＳＬサーバ３の管理装置通信部３４は、スイッチ１６０が押下されたことを示す情報を受信する。ＥＳＬサーバ３の管理装置制御部３１は、管理装置通信部３４が電子棚札端末１からスイッチ１６０が押下されたことを示す情報を受信したか否かを判定する。管理装置制御部３１は、管理装置通信部３４が電子棚札端末１からスイッチ１６０が押下されたことを示す情報を受信したと判定した場合にはステップＳ３１４の処理に進み、それ以外の場合にはステップＳ３１３の処理に進む。
【０１５３】
（ステップＳ３１３）管理装置制御部３１は、ステップＳ３１１で開始したタイマーが電子棚札端末１の表示部１２が表示している表示画面と、大型電子棚札端末２の表示入力部２２が表示している表示画面との表示を元の表示に戻すまでの時間を過ぎたか否かを判定する。管理装置制御部３１は、ステップＳ３１１で開始したタイマーが、電子棚札端末１の表示部１２が表示している表示画面と、大型電子棚札端末２の表示入力部２２が表示している表示画面との表示を元の表示に戻すまでの時間を過ぎたと判定した場合にはステップＳ３１４の処理に進み、それ以外の場合にはステップＳ３１２の処理に戻る。
【０１５４】
（ステップＳ３１４）管理装置制御部３１は、ステップＳ３０５、またはステップＳ３０７、またはステップＳ３０９、またはステップＳ３１０で表示画面を変更させた電子棚札端末１の表示部１２が表示している表示画面と、ステップＳ３０３で表示画面を変更させた大型電子棚札端末２の表示入力部２２が表示している表示画面との表示を元に戻す。その後、処理を終了する。
【０１５５】
上述したとおり、本実施形態によれば、大型電子棚札端末２の表示入力部２２がスイッチ２７０３〜２７０６の入力を受け付ける。また、無線通信部２４は、入力を受け付けたスイッチ２７０３〜２７０６のスイッチ番号を示す情報をＥＳＬサーバ３に送信する。また、ＥＳＬサーバ３は、管理装置記憶部３３に管理情報として、電子棚札端末１と大型電子棚札端末２との関連性を示した情報を記憶しており、関連している電子棚札端末１が表示している表示画面の内容を変更させる。これにより、ＥＳＬサーバ３は、電子棚札端末１と大型電子棚札端末２とが表示する内容を連携して変更させることができる。
【０１５６】
よって、電子棚札システムを銀行の帳票記入台で用いた場合、銀行の顧客は、大型電子棚札端末２が表示する取引の名称を表示しているスイッチ２７０３〜２７０６を押下することで、その取引で必要な帳票が配置されている帳票入れ２６１〜２６４の前方に配置されている電子棚札端末１−１〜１−４の表示が変化するため、顧客は、容易にその取引で必要な帳票を見つけることができる。
【０１５７】
なお、上述した実施形態では大型電子棚札端末２が備える表示入力部２２は、タッチパネルを用いた例を用いて説明したが、これに限らない。例えば、表示入力部２２は液晶ディスプレイとスイッチとを備えていてもよい。図３２は、本実施形態における大型電子棚札端末２の表示入力部２２が、液晶ディスプレイとスイッチとを備えた場合の外観を示した概要図である。
【０１５８】
図示する例では、表示入力部２２は、液晶ディスプレイ３２００と、スイッチ番号「１」のスイッチ３２０１と、スイッチ番号「２」のスイッチ３２０２と、スイッチ番号「３」のスイッチ３２０３と、スイッチ番号「４」のスイッチ３２０４とを備えている。スイッチ番号「１」のスイッチ３２０１は、上述したスイッチ２７０３と同様の入力を受け付ける。また、スイッチ番号「２」のスイッチ３２０２は、上述したスイッチ２７０４と同様の入力を受け付ける。また、スイッチ番号「３」のスイッチ３２０３は、上述したスイッチ２７０５と同様の入力を受け付ける。また、スイッチ番号「４」のスイッチ３２０４は、上述したスイッチ２７０６と同様の入力を受け付ける。これにより、大型電子棚札端末２の表示入力部２２が、液晶ディスプレイとスイッチとを備えた場合においても、上述したように、電子棚札端末１と大型電子棚札端末２との表示を連携することができる。
【０１５９】
（第４の実施形態）
次に本発明の第４の実施形態について説明する。本実施形態では、電子棚札システムを工場の部品棚および作業台で用いた場合の例について説明する。本実施形態における電子棚札システムの構成は、第３の実施形態における電子棚札システムの構成と同様の構成である（図２５）。また、本実施形態における電子棚札端末１の構成は、第１の実施形態における電子棚札端末１の構成と同様の構成である（図２）。また、本実施形態における大型電子棚札端末２の構成は、第１の実施形態における大型電子棚札端末２の構成と同様の構成である（図３）。また、本実施形態におけるＥＳＬサーバ３の構成は、第１の実施形態におけるＥＳＬサーバ３の構成と同様の構成である（図４）。
【０１６０】
次に、電子棚札端末１が配置される部品棚と、大型電子棚札端末２が設置される作業台について説明する。図３３は、本実施形態における電子棚札端末１が配置される部品棚と、大型電子棚札端末２が設置される作業台の外観を示した概略図である。図示する例では、部品棚３３０は、部品を配置する棚板３３１〜３３４を備えている。棚板３３１には電子棚札端末１−１〜１−２が設置されている。棚板３３２には電子棚札端末１−３〜１−４が設置されている。棚板３３３には電子棚札端末１−５〜１−７が設置されている。棚板３３４には電子棚札端末１−８〜１−１０が設置されている。また、作業台３３５には大型電子棚札端末２が設置されている。
【０１６１】
次に、大型電子棚札端末２の表示入力部２２が表示する画面例について図３４〜図３５に基づいて説明する。大型電子棚札端末２の表示入力部２２が画面を表示する方法としては、ＥＳＬサーバ３が図３４〜図３５に示す作業工程の名称などを含んだ画像を表示するための画像データを作成して大型電子棚札端末２に送信し、大型電子棚札端末２の表示入力部２２が、送信された画像データに基づいた画像を表示する方法がある。なお、大型電子棚札端末２の表示入力部２２が画面を表示する方法はこの方法に限らず、どのような方法を用いてもよい。例えば、ＥＳＬサーバ３が図３４〜図３５に示す画面に含まれる作業工程の名称などの各種の情報を大型電子棚札端末２に送信し、大型電子棚札端末２の制御部２１が、送信された情報に基づいて図３４〜図３５に示す作業工程の名称などを含んだ画像を表示するための画像データを作成し、表示入力部２２がこの画像データに基づいた画像を表示する方法を用いてもよい。
【０１６２】
図３４は、本実施形態における大型電子棚札端末２の表示入力部２２が表示する作業工程の名称を表示する画面を示した概略図である。作業工程の名称を表示する画面は、タイトル表示領域３４０１と、スイッチ表示領域３４０２とを含んでいる。
【０１６３】
タイトル表示領域３４０１は、作業工程の名称を表示する画面のタイトルを表示する領域である。スイッチ表示領域３４０２は、スイッチ番号「１」のスイッチ３４０３と、スイッチ番号「２」のスイッチ３４０４と、スイッチ番号「３」のスイッチ３４０５と、スイッチ番号「４」のスイッチ３４０６とを表示する領域である。このスイッチ３４０３〜３４０６は、操作者による入力を受け付ける。なお、大型電子棚札端末２のスイッチ表示領域３４０２に表示されているスイッチ３４０３〜３４０６に表示する作業工程の名称は、ＥＳＬサーバ３の管理装置記憶部３３が記憶する管理情報に基づいている。
【０１６４】
図３４に示す画面例では、大型電子棚札端末２の表示入力部２２は、「サブアッシー工程」をタイトル表示領域３４０１に表示している。また、表示入力部２２は、スイッチ番号「１」のスイッチ３４０３に「１．主基板止め」を表示している。また、表示入力部２２は、スイッチ番号「２」のスイッチ３４０４に「２．プラグ−Ａ挿入」を表示している。また、表示入力部２２は、スイッチ番号「３」のスイッチ３４０５に「３．サブ基板止め」を表示している。また、表示入力部２２は、スイッチ番号「４」のスイッチ３４０６に「４．ケーブル−Ｓ配線」を表示している。
【０１６５】
図３５は、大型電子棚札端末２が図３４に示した「作業工程の名称を表示する画面」を表示している際に、操作者がスイッチ番号「２」のスイッチ３４０４を押した場合における、表示入力部２２の表示例を示した概略図である。図３４に示した例と異なる点は、スイッチ番号「２」のスイッチ３４０４の表示色が反転している点である。これは、スイッチ番号「２」のスイッチ３４０４が操作者によって押されたことを示している。
【０１６６】
次に、電子棚札端末１の表示部１２が表示する画面例について図３６〜図３７に基づいて説明する。電子棚札端末１の表示部１２が画面を表示する方法としては、ＥＳＬサーバ３が図３６〜図３７に示す部品名などを含んだ画像を表示するための画像データを作成して電子棚札端末１に送信し、電子棚札端末１の表示部１２が、送信された画像データに基づいた画像を表示する方法がある。なお、電子棚札端末１の表示部１２が画面を表示する方法はこの方法に限らず、どのような方法を用いてもよい。例えば、ＥＳＬサーバ３が図３６〜図３７に示す画面に含まれる部品名などの各種の情報を電子棚札端末１に送信し、電子棚札端末１の制御部１１が、送信された情報に基づいて図３６〜図３７に示す部品名などを含んだ画像を表示するための画像データを作成し、表示部１２がこの画像データに基づいた画像を表示する方法を用いてもよい。
【０１６７】
図３６は、本実施形態における電子棚札端末１の表示部１２が表示する「部品情報表示画面」を示した概略図である。部品情報表示画面は、画面上部に「部品名」を表示し、画面中央部に「部品番号」を表示し、画面下部に「在庫数」を表示する。
【０１６８】
図３６に示す例では、電子棚札端末１の表示部１２は、「プラグ−Ａ」を画面上部に表示し、「Ｐ／Ｎ：８００−００４５２」を画面中央部に表示し、「３８４ｐｃｓ」を画面下部に表示している。
【０１６９】
図３７は、電子棚札端末１の表示部１２が図３６に示した部品情報表示画面を表示している際に、大型電子棚札端末２の表示入力部２２が表示するスイッチ番号「２」のスイッチ３４０４（「２．プラグ−Ａ挿入」）が操作者に押された場合における部品情報表示画面の表示例を示した概略図である。
【０１７０】
図３６に示した例と異なる点は、表示部１２の表示色が反転している点と、在庫数「３８４ｐｃｓ」が取出数「２ｐｃｓ」に変更されている点である。これは、大型電子棚札端末２が表示するスイッチ番号「２」のスイッチ３４０４が操作者により選択入力されたことを示している。
【０１７１】
次に、ＥＳＬサーバ３が電子棚札端末１と大型電子棚札端末２とを連携して制御する手順について説明する。本実施形態では、ＥＳＬサーバ３が電子棚札端末１と大型電子棚札端末２とを連携して制御することにより、図３４〜図３７に示すように、大型電子棚札端末２の表示入力部２２が操作者より入力を受け付けた場合、電子棚札端末１の表示部１２が表示する内容が変化する。
【０１７２】
図３８は、本実施形態におけるＥＳＬサーバ３が電子棚札端末１と大型電子棚札端末２とを連携して制御する手順を示したフローチャートである。
【０１７３】
（ステップＳ４０１）ＥＳＬサーバ３の管理装置制御部３１は、大型電子棚札端末２の表示モードを設定する。その後、ステップＳ４０２の処理に進む。本実施形態では、大型電子棚札端末２の表示入力部２２が「作業工程の名称を表示する画面」を表示するモードに設定する。
【０１７４】
（ステップＳ４０２）ＥＳＬサーバ３の管理装置制御部３１は、大型電子棚札端末２の表示入力部２２に、ステップＳ４０１で特定した表示モードで表示する画面を表示させる。また、ＥＳＬサーバ３の管理装置制御部３１は、電子棚札端末１の表示部１２に部品情報表示画面を表示させる。その後、ステップＳ４０３の処理に進む。このとき、大型電子棚札端末２の表示入力部２２が表示する画面は、例えば図３４に示す画面である。また、電子棚札端末１の表示部１２が表示する画面は、例えば図３６に示す画面である。
【０１７５】
（ステップＳ４０３）大型電子棚札端末２の表示入力部２２は、作業工程の名称を表示しているスイッチ３４０３〜３４０６の押下（入力）を受け付ける。スイッチ３４０３〜３４０６が押下された場合、無線通信部１４は、ＥＳＬサーバ３に押下されたスイッチ３４０３〜３４０６のスイッチ番号を示す情報を送信する。ＥＳＬサーバ３の管理装置通信部３４は、押下されたスイッチ３４０３〜３４０６のスイッチ番号を示す情報を受信する。ＥＳＬサーバ３の管理装置制御部３１は、管理装置通信部３４が大型電子棚札端末２から押下されたスイッチ３４０３〜３４０６のスイッチ番号を示す情報を受信したか否かを判定する。管理装置制御部３１は、管理装置通信部３４が大型電子棚札端末２から押下されたスイッチ３４０３〜３４０６の番号を示す情報を受信したと判定した場合にはステップＳ４０４の処理に進み、それ以外の場合にはステップＳ４０３の処理を再度実行する。
【０１７６】
（ステップＳ４０４）管理装置制御部３１は、ステップＳ４０３で管理装置通信部３４が受信した押下されたスイッチ３４０３〜３４０６のスイッチ番号を示す情報に基づいて、押下されたスイッチ３４０３〜３４０６はスイッチ番号「１」のスイッチ３４０３であるか否かを判定する。管理装置制御部３１は、押下されたスイッチ３４０３〜３４０６はスイッチ番号「１」のスイッチ３４０３であると判定した場合にはステップＳ４０５の処理に進み、それ以外の場合にはステップＳ４０６の処理に進む。
【０１７７】
（ステップＳ４０５）管理装置制御部３１は、スイッチ番号「１」のスイッチ３４０３に表示している作業工程で使用する部品名を表示している電子棚札端末１の表示画面を変更させる。その後、ステップＳ４１１の処理に進む。表示画面の変更は、例えば図３７に示すように、表示色を反転させ、在庫数を取出数に変更する。
【０１７８】
（ステップＳ４０６）管理装置制御部３１は、ステップＳ４０３で管理装置通信部３４が受信した押下されたスイッチ３４０３〜３４０６のスイッチ番号を示す情報に基づいて、押下されたスイッチ３４０３〜３４０６はスイッチ番号「２」のスイッチ３４０４であるか否かを判定する。管理装置制御部３１は、押下されたスイッチ３４０３〜３４０６はスイッチ番号「２」のスイッチ３４０４であると判定した場合にはステップＳ４０７の処理に進み、それ以外の場合にはステップＳ４０８の処理に進む。
【０１７９】
（ステップＳ４０７）管理装置制御部３１は、スイッチ番号「２」のスイッチ３４０４に表示している作業工程で使用する部品名を表示している電子棚札端末１の表示画面を変更させる。その後、ステップＳ４１１の処理に進む。表示画面の変更は、例えば図３７に示すように、表示色を反転させ、在庫数を取出数に変更する。
【０１８０】
（ステップＳ４０８）管理装置制御部３１は、ステップＳ４０３で管理装置通信部３４が受信した押下されたスイッチ３４０３〜３４０６のスイッチ番号を示す情報に基づいて、押下されたスイッチ３４０３〜３４０６はスイッチ番号「３」のスイッチ３４０５であるか否かを判定する。管理装置制御部３１は、押下されたスイッチ３４０３〜３４０６はスイッチ番号「３」のスイッチ３４０５であると判定した場合にはステップＳ４０９の処理に進み、それ以外の場合にはステップＳ４１０の処理に進む。
【０１８１】
（ステップＳ４０９）管理装置制御部３１は、スイッチ番号「３」のスイッチ３４０５に表示している作業工程で使用する部品名を表示している電子棚札端末１の表示画面を変更させる。その後、ステップＳ４１１の処理に進む。表示画面の変更は、例えば図３７に示すように、表示色を反転させ、在庫数を取出数に変更する。
【０１８２】
（ステップＳ４１０）管理装置制御部３１は、スイッチ番号「４」のスイッチ３４０６に表示している作業工程で使用する部品名を表示している電子棚札端末１の表示画面を変更させる。その後、ステップＳ４１１の処理に進む。表示画面の変更は、例えば図３７に示すように、表示色を反転させ、在庫数を取出数に変更する。
【０１８３】
（ステップＳ４１１）管理装置制御部３１は、電子棚札端末１の表示部１２が表示している表示画面と、大型電子棚札端末２の表示入力部２２が表示している表示画面との表示を元の表示に戻すまでの時間を計測するタイマーを開始する。その後、ステップＳ４１２の処理に進む。
【０１８４】
（ステップＳ４１２）ステップＳ４０５、またはステップＳ４０７、またはステップＳ４０９、またはステップＳ４１０で表示画面を変更させた電子棚札端末１は、入力部１６が備えるスイッチ１６０が押下された場合、スイッチ１６０が押下されたことを示す情報をＥＳＬサーバ３に送信する。ＥＳＬサーバ３の管理装置通信部３４は、スイッチ１６０が押下されたことを示す情報を受信する。ＥＳＬサーバ３の管理装置制御部３１は、管理装置通信部３４が電子棚札端末１からスイッチ１６０が押下されたことを示す情報を受信したか否かを判定する。管理装置制御部３１は、管理装置通信部３４が電子棚札端末１からスイッチ１６０が押下されたことを示す情報を受信したと判定した場合にはステップＳ４１４の処理に進み、それ以外の場合にはステップＳ４１３の処理に進む。
【０１８５】
（ステップＳ４１３）管理装置制御部３１は、ステップＳ４１１で開始したタイマーが、電子棚札端末１の表示部１２が表示している表示画面と、大型電子棚札端末２の表示入力部２２が表示している表示画面との表示を元の表示に戻すまでの時間を過ぎたか否かを判定する。管理装置制御部３１は、ステップＳ４１１で開始したタイマーが、電子棚札端末１の表示部１２が表示している表示画面と、大型電子棚札端末２の表示入力部２２が表示している表示画面との表示を元の表示に戻すまでの時間を過ぎたと判定した場合にはステップＳ４１４の処理に進み、それ以外の場合にはステップＳ４１２の処理に戻る。
【０１８６】
（ステップＳ４１４）管理装置制御部３１は、ステップＳ４０５、またはステップＳ４０７、またはステップＳ４０９、またはステップＳ４１０で表示画面を変更させた電子棚札端末１の表示部１２が表示している表示画面と、ステップＳ４０３で表示画面を変更させた大型電子棚札端末２の表示入力部２２が表示している表示画面との表示を元に戻す。その後、処理を終了する。
【０１８７】
上述したとおり、本実施形態によれば、大型電子棚札端末２の表示入力部２２がスイッチ３４０３〜３４０６の入力を受け付ける。また、無線通信部２４は、入力を受け付けたスイッチ３４０３〜３４０６のスイッチ番号を示す情報をＥＳＬサーバ３に送信する。また、ＥＳＬサーバ３は、管理装置記憶部３３に管理情報として、電子棚札端末１と大型電子棚札端末２との関連性を示した情報を記憶しており、関連している電子棚札端末１が表示している表示画面の内容を変更させる。これにより、ＥＳＬサーバ３は、電子棚札端末１と大型電子棚札端末２とが表示する内容を連携して変更させることができる。
【０１８８】
よって、電子棚札システムを工場の部品棚および作業台で用いた場合、作業者は、大型電子棚札端末２が表示する作業工程の名称を表示しているスイッチ３４０３〜３４０６を押下することで、その工程で必要な部品が配置されている部品棚の電子棚札端末１の表示が変化するため、作業者は、容易にその工程で必要な部品を見つけることができる。
【０１８９】
なお、上述した実施形態では大型電子棚札端末２が備える表示入力部２２は、タッチパネルを用いた例を用いて説明したが、これに限らない。例えば、表示入力部２２は液晶ディスプレイとスイッチとを備えていてもよい。図３９は、本実施形態における大型電子棚札端末２の表示入力部２２が、液晶ディスプレイとスイッチとを備えた場合の外観を示した概要図である。
【０１９０】
図示する例では、表示入力部２２は、液晶ディスプレイ３９００と、スイッチ番号「１」のスイッチ３９０１と、スイッチ番号「２」のスイッチ３９０２と、スイッチ番号「３」のスイッチ３９０３と、スイッチ番号「４」のスイッチ３９０４とを備えている。スイッチ番号「１」のスイッチ３９０１は、上述したスイッチ３４０３と同様の入力を受け付ける。また、スイッチ番号「２」のスイッチ３９０２は、上述したスイッチ３４０４と同様の入力を受け付ける。また、スイッチ番号「３」のスイッチ３９０３は、上述したスイッチ３４０５と同様の入力を受け付ける。また、スイッチ番号「４」のスイッチ３９０４は、上述したスイッチ３４０６と同様の入力を受け付ける。これにより、大型電子棚札端末２の表示入力部２２が、液晶ディスプレイとスイッチとを備えた場合においても、上述したように、電子棚札端末１と大型電子棚札端末２との表示を連携することができる。
【０１９１】
（第５の実施形態）
次に本発明の第５の実施形態について説明する。本実施形態では、電子棚札システムを倉庫で用いた場合の例について説明する。本実施形態における電子棚札システムの構成は、第３の実施形態における電子棚札システムの構成と同様の構成である（図２５）。また、本実施形態における電子棚札端末１の構成は、第１の実施形態における電子棚札端末１の構成と同様の構成である（図２）。また、本実施形態における大型電子棚札端末２の構成は、第１の実施形態における大型電子棚札端末２の構成と同様の構成である（図３）。また、本実施形態におけるＥＳＬサーバ３の構成は、第１の実施形態におけるＥＳＬサーバ３の構成と同様の構成である（図４）。
【０１９２】
次に、倉庫内において大型電子棚札端末２が配置される位置について説明する。図４０は、本実施形態における大型電子棚札端末２が配置される倉庫の平面図である。図示する例では、倉庫の入り口付近に大型電子棚札端末２−１が配置されている。また、倉庫内に複数の在庫棚４０２〜４０９が設置されている。また、在庫棚４０２〜４０９には大型棚札２−２〜２−９が設置されている。
【０１９３】
次に、電子棚札端末１と大型電子棚札端末２とが配置される在庫棚４０２〜４０９について説明する。図４１は、本実施形態における電子棚札端末１と大型電子棚札端末２とが配置される在庫棚４０２〜４０９の外観を示した概略図である。図示する例では、在庫棚４０２〜４０９は、在庫品を配置する棚板４１０〜４１４を上から順に備えている。棚板４１０には電子棚札端末１−１〜１−６が左から順に設置されている。棚板４１１には電子棚札端末１−７〜１−１２が左から順に設置されている。棚板４１２には電子棚札端末１−１３〜１−１８が左から順に設置されている。棚板４１３には電子棚札端末１−１９〜１−２４が左から順に設置されている。棚板４１４には電子棚札端末１−２５〜１−３０が左から順に設置されている。また、在庫棚４０２〜４０９の側面には大型電子棚札端末２−２〜２−９が設置されている。
【０１９４】
次に、倉庫の入り口付近に設置されている大型電子棚札端末２−１の表示入力部２２が表示する画面例について図４２に基づいて説明する。大型電子棚札端末２−１の表示入力部２２が画面を表示する方法としては、ＥＳＬサーバ３が図４２に示す在庫棚位置などを含んだ画像を表示するための画像データを作成して大型電子棚札端末２に送信し、大型電子棚札端末２の表示入力部２２が、送信された画像データに基づいた画像を表示する方法がある。なお、大型電子棚札端末２−１の表示入力部２２が画面を表示する方法はこの方法に限らず、どのような方法を用いてもよい。例えば、ＥＳＬサーバ３が図４２に示す画面に含まれる在庫棚位置などの各種の情報を大型電子棚札端末２−１に送信し、大型電子棚札端末２−１の制御部２１が、送信された情報に基づいて図４２に示す在庫棚位置などを含んだ画像を表示するための画像データを作成し、表示入力部２２がこの画像データに基づいた画像を表示する方法を用いてもよい。
【０１９５】
図４２は、本実施形態における倉庫の入り口付近に設置されている大型電子棚札端末２−１の表示入力部２２が表示する在庫棚位置を表示する在庫棚位置表示画面を示した概略図である。在庫棚位置表示画面は、受注番号表示領域４２０１と、在庫棚位置表示領域４２０２とを含んでいる。
【０１９６】
受注番号表示領域４２０１は、受注番号を表示する領域である。在庫棚位置表示領域４２０２は、受注番号表示領域４２０１が表示する受注番号で特定される在庫品（商品）が配置されている位置を表示する。なお、大型電子棚札端末２−１の受注番号表示領域４２０１に表示されている受注番号と、在庫棚位置表示領域４２０２に表示されている在庫品が配置されている位置とは、ＥＳＬサーバ３の管理装置記憶部３３が記憶する管理情報に基づいている。
【０１９７】
図４２に示す画面例では、大型電子棚札端末２−１の表示入力部２２は、「受注番号  ０６０７１５」を受注番号表示領域４２０１に表示している。また、表示入力部２２は、倉庫内における在庫棚の配置図を表示しており、在庫棚４０３の位置を示す図形４４０３の色を黒く表示している。これは、「受注番号  ０６０７１５」で特定される在庫品は在庫棚４０３に配置されていることを示している。
【０１９８】
次に、在庫棚４０２〜４０９の側面に設置されている大型電子棚札端末２−２〜２−９の表示入力部２２が表示する画面例について図４３に基づいて説明する。大型電子棚札端末２−２〜２−９の表示入力部２２が画面を表示する方法としては、ＥＳＬサーバ３が図４３に示す棚内在庫位置などを含んだ画像を表示するための画像データを作成して大型電子棚札端末２−２〜２−９に送信し、大型電子棚札端末２−２〜２−９の表示入力部２２が、送信された画像データに基づいた画像を表示する方法がある。なお、大型電子棚札端末２−２〜２−９の表示入力部２２が画面を表示する方法はこの方法に限らず、どのような方法を用いてもよい。例えば、ＥＳＬサーバ３が図４３に示す画面に含まれる棚内在庫位置などの各種の情報を大型電子棚札端末２−２〜２−９に送信し、大型電子棚札端末２−２〜２−９の制御部２１が、送信された情報に基づいて図４３に示す棚内在庫位置などを含んだ画像を表示するための画像データを作成し、表示入力部２２がこの画像データに基づいた画像を表示する方法を用いてもよい。
【０１９９】
図４３は、本実施形態における在庫棚４０２〜４０９の側面に設置されている大型電子棚札端末２−２〜２−９の表示入力部２２が表示する在庫棚内位置を表示する在庫棚内位置表示画面を示した概略図である。在庫棚内位置表示画面は、受注番号表示領域４３０１と、棚内在庫位置表示領域４３０２とを含んでいる。
【０２００】
受注番号表示領域４３０１は、受注番号を表示する領域である。棚内在庫位置表示領域４３０２は、受注番号表示領域４３０１が表示する受注番号で特定される在庫品が配置されている位置を表示する。なお、大型電子棚札端末２−２〜２−９の受注番号表示領域４３０１に表示されている受注番号と、棚内在庫位置表示領域４３０２に表示されている在庫品が配置されている位置とは、ＥＳＬサーバ３の管理装置記憶部３３が記憶する管理情報に基づいている。
【０２０１】
図４３に示す画面例では、大型電子棚札端末２−２〜２−９の表示入力部２２は、「受注番号  ０６０７１５」を受注番号表示領域４３０１に表示している。また、表示入力部２２は、在庫棚４０２〜４０９における在庫品の配置位置を表示しており、上から２段目かつ左から３番目の位置４３０３の色と、上から４段目かつ左から２番目の位置４３０４の色とを黒く表示している。これは、「受注番号  ０６０７１５」で特定される在庫品は在庫棚４０２〜４０９において、上から２段目かつ左から３番目の位置と、上から４段目かつ左から２番目の位置とに配置されていることを示している。
【０２０２】
次に、電子棚札端末１の表示部１２が表示する画面例について図４４〜図４６に基づいて説明する。電子棚札端末１の表示部１２が画面を表示する方法としては、ＥＳＬサーバ３が図４４〜図４６に示す商品名などを含んだ画像を表示するための画像データを作成して電子棚札端末１に送信し、電子棚札端末１の表示部１２が、送信された画像データに基づいた画像を表示する方法がある。なお、電子棚札端末１の表示部１２が画面を表示する方法はこの方法に限らず、どのような方法を用いてもよい。例えば、ＥＳＬサーバ３が図４４〜図４６に示す画面に含まれる商品名などの各種の情報を電子棚札端末１に送信し、電子棚札端末１の制御部１１が、送信された情報に基づいて図４４〜図４６に示す商品名などを含んだ画像を表示するための画像データを作成し、表示部１２がこの画像データに基づいた画像を表示する方法を用いてもよい。
【０２０３】
図４４は、本実施形態における電子棚札端末１の表示部１２が表示する「在庫情報表示画面」を示した概略図である。在庫情報表示画面は、画面上部に「在庫名および説明」を表示し、画面中央部に「商品Ｎｏ．」を表示し、画面下部に「在庫数」を表示する。
【０２０４】
図４４に示す例では、電子棚札端末１の表示部１２は、「ポロシャツ  半袖（ライトグリーン）」を画面上部に表示し、「商品Ｎｏ．１０４０６８２６６」を画面中央部に表示し、「在庫数  １２」を画面下部に表示している。
【０２０５】
図４５は、本実施形態における電子棚札端末１の表示部１２が表示する「在庫取出情報表示画面」を示した概略図である。在庫取出情報表示画面は、画面上部に「在庫名および説明」を表示し、画面中央部に「商品Ｎｏ．」を表示し、画面下部に「取出数」を表示する。
【０２０６】
図４５に示す例では、電子棚札端末１の表示部１２は、「ポロシャツ  半袖（ライトグリーン）」を画面上部に表示し、「商品Ｎｏ．１０４０６８２６６」を画面中央部に表示し、「取出数  ２」を画面下部に表示している。図４５に示した例と異なる点は、表示部１２の表示色が反転している点と、「在庫数」が「取出数」に変更されている点である。
【０２０７】
図４６は、本実施形態における電子棚札端末１の表示部１２が表示する「在庫情報表示画面」を示した概略図である。図示する例では、電子棚札端末１の表示部１２が図４４に示した表示を行った後に、操作者によって商品２つが取り出された場合における電子棚札端末１の表示部１２が表示する「在庫情報表示画面」である。図４４に示した例と異なる点は、在庫数が１２から１０に減少している点である。このように、本実施形態では、操作者により在庫品が取り出された場合、現時点において在庫棚４０２〜４０９に配置されている在庫の数を算出し、リアルタイムに変更している。
【０２０８】
次に、ＥＳＬサーバ３が電子棚札端末１と大型電子棚札端末２とを連携して制御する手順について説明する。本実施形態では、ＥＳＬサーバ３が電子棚札端末１と大型電子棚札端末２とを連携して制御することにより、図４２〜図４６に示すように、電子棚札端末１の入力部１２が操作者より入力を受け付けた場合、電子棚札端末１の表示部１２が表示する内容が変化する。なお、電子棚札端末１の表示部１２は、「在庫情報表示画面」を表示している。
【０２０９】
図４７は、本実施形態におけるＥＳＬサーバ３が電子棚札端末１と大型電子棚札端末２とを連携して制御する手順を示したフローチャートである。
【０２１０】
（ステップＳ５０１）ＥＳＬサーバ３の管理装置制御部３１は、受注番号の入力を受け付ける。その後、ステップＳ５０２の処理に進む。
【０２１１】
（ステップＳ５０２）ＥＳＬサーバ３の管理装置制御部３１は、ステップＳ５０１で入力を受け付けた受注番号に基づいて、この受注番号で特定される在庫品が配置されている位置を示す「在庫棚位置表示画面」を大型電子棚札端末２−１に表示させる。その後、ステップＳ５０３の処理に進む。このとき、大型電子棚札端末２の表示入力部２２が表示する在庫棚位置表示画面は、例えば図４２に示す画面である。
【０２１２】
（ステップＳ５０３）ＥＳＬサーバ３の管理装置制御部３１は、ステップＳ５０１で入力を受け付けた受注番号に基づいて、この受注番号で特定される在庫品が配置されている位置を示す「在庫棚内位置表示画面」を大型電子棚札端末２−１に表示させる。その後、ステップＳ５０４の処理に進む。このとき、大型電子棚札端末２の表示入力部２２が表示する在庫棚内位置表示画面は、例えば図４３に示す画面である。
【０２１３】
（ステップＳ５０４）ＥＳＬサーバ３の管理装置制御部３１は、ステップＳ５０１で入力を受け付けた受注番号に基づいて、この受注番号で特定される在庫情報を表示する電子棚札端末１に「在庫取出情報表示画面」を表示させる。その後、ステップＳ５０５の処理に進む。このとき、電子棚札端末１の表示部１２が表示する「在庫取出情報表示画面」は、図４５に示す画面である。
【０２１４】
（ステップＳ５０５）操作者は、在庫を取り出した場合、その在庫の名称を表示している電子棚札端末１の入力部１６が備えるスイッチ１６０を押下する。電子棚札端末１の入力部１６はスイッチ１６０の押下を受け付ける。電子棚札端末１の無線通信部１４は、スイッチ１６０が押下された場合、ＥＳＬサーバ３に自電子棚札端末１の棚札コードを送信する。ＥＳＬサーバ３の管理装置通信部３４は、スイッチ１６０が押下された電子棚札端末１の棚札コードを受信する。ＥＳＬサーバ３の管理装置制御部３１は、管理装置通信部３４が電子棚札端末１から棚札コードを受信したか否かを判定する。管理装置制御部３１は、管理装置通信部３４が電子棚札端末１から棚札コードを受信したと判定した場合にはステップＳ５０６の処理に進み、それ以外の場合にはステップＳ５０５の処理を再度実行する。
【０２１５】
（ステップＳ５０６）管理装置制御部３１は、ステップＳ５０５で管理装置通信部３４が受信した棚札コードに基づいて、取り出した商品の位置を表示している大型電子棚札端末２−２〜２−９の表示を変更させる。具体的には、大型電子棚札端末２−２〜２−９の表示入力部２２が表示している取り出した在庫の位置を示す表示を消去する。その後、ステップＳ５０７の処理に進む。
【０２１６】
（ステップＳ５０７）管理装置制御部３１は、「在庫取出情報表示画面」を表示している全ての電子棚札端末１のスイッチ１６０が押下されたか否かを判定する。管理装置制御部３１は、「在庫取出情報表示画面」を表示している全ての電子棚札端末１のスイッチ１６０が押下されたと判定した場合にはステップＳ５０８の処理に進み、それ以外の場合にはステップＳ５０５の処理に戻る。
【０２１７】
（ステップＳ５０８）管理装置制御部３１は、ステップＳ５０４で表示画面を変更させた電子棚札端末１の表示部１２が表示している表示画面と、ステップＳ５０２で表示画面を変更させた大型電子棚札端末２−１の表示入力部２２が表示している表示画面と、ステップＳ５０３で表示画面を変更させた大型電子棚札端末２−２〜２−９の表示入力部２２が表示している表示画面とを元の表示画面に戻す。その後、処理を終了する。
【０２１８】
上述したとおり、本実施形態によれば、電子棚札端末１の入力部はスイッチ１６０の入力を受け付ける。また、無線通信部１４は、スイッチ１６０の入力を受け付けたことを示す情報をＥＳＬサーバ３に送信する。また、ＥＳＬサーバ３は、管理装置記憶部３３に管理情報として、電子棚札端末１に関連づけられている大型電子棚札端末２の大型棚札コードと、表示する画面を示す表示データとを記憶しており、この情報とスイッチ１６０の入力を受け付けた電子棚札端末１の棚札コードとに基づいて、大型電子棚札端末２に表示データで示される画面を表示させる。これにより、ＥＳＬサーバ３は、電子棚札端末１と大型電子棚札端末２とが表示する内容を連携して変更させることができる。
【０２１９】
よって、本実施形態のように、作業者は、在庫品を取り出した場合、その在庫の名称を表示している電子棚札端末１の入力部１６が備えるスイッチ１６０を押下することで、大型電子棚札端末２−１〜２−９は、在庫品の位置を示す情報を表示しないようにすることができる。これにより、作業者は、一度取り出した在庫品を再度取り出すことも無くなり、作業効率もよくなる。
【０２２０】
また、上述した各実施形態では、大型電子棚札端末２が大型の液晶ディスプレイやタッチパネルなどを備えた例を用いて説明したが、これに限らない。例えは、大型電子棚札端末２は、一度に複数の商品の情報など、多量の情報を一度に表示することができる装置であればよい。具体的には、プロジェクタやヘッドマウントディスプレイのように、物理的には大型ではないが、表示可能な情報量が多い装置を大型電子棚札端末２として用いても良い。
【０２２１】
以上、図面を参照して本発明の実施形態について詳しく説明してきたが、具体的な構成は上述のものに限られることはなく、この発明の要旨を逸脱しない範囲内において様々な設計変更等をすることが可能である。
【０２２２】
例えば、上記の実施形態では、電子棚札システムをスーパーマーケットやコンビニエンスストア等の小売店で用いる例や、銀行で用いる例や、倉庫で用いる例などを用いて説明したが、本発明は、上記に限られるものではない。例えば、電子棚札端末を、各種の情報を表示する情報表示装置として用いてもよい。なお、情報表示装置の構成は電子棚札端末１の構成と同様の構成である。
【符号の説明】
【０２２３】
１，１−１〜１−３０・・・電子棚札端末、２，２−１〜２−９・・・大型電子棚札端末、３・・・ＥＳＬサーバ、４・・・アクセスポイント、５−１〜５−３・・・中継機、６・・・ハンディ端末、７・・・ＰＯＳサーバ、８・・・ＰＯＳレジスタ、１０・・・棚、１１，２１・・・制御部、１２・・・表示部、１３，２３・・・記憶部、１４，２４・・・無線通信部、１５，２５・・・電池、１６・・・入力部、２２・・・表示入力部、３１・・・管理装置制御部、３３・・・管理装置記憶部、３４・・・管理装置通信部、１００・・・バックヤード、１０１〜１０４，３３１〜３３４，４１０〜４１４・・・棚板、２００・・・店舗、２６０・・・帳票記入台、２６１〜２６４・・・帳票入れ、３３０・・・部品棚、３３５・・・作業台、４０２〜４０９・・・在庫棚
【図１】
0005431870.tif 000002
【図２】
0005431870.tif 000003
【図３】
0005431870.tif 000004
【図４】
0005431870.tif 000005
【図５】
0005431870.tif 000006
【図６】
0005431870.tif 000007
【図７】
0005431870.tif 000008
【図８】
0005431870.tif 000009
【図９】
0005431870.tif 000010
【図１０】
0005431870.tif 000011
【図１１】
0005431870.tif 000012
【図１２】
0005431870.tif 000013
【図１３】
0005431870.tif 000014
【図１４】
0005431870.tif 000015
【図１５】
0005431870.tif 000016
【図１６】
0005431870.tif 000017
【図１７】
0005431870.tif 000018
【図１８】
0005431870.tif 000019
【図１９】
0005431870.tif 000020
【図２０】
0005431870.tif 000021
【図２１】
0005431870.tif 000022
【図２２】
0005431870.tif 000023
【図２３】
0005431870.tif 000024
【図２４】
0005431870.tif 000025
【図２５】
0005431870.tif 000026
【図２６】
0005431870.tif 000027
【図２７】
0005431870.tif 000028
【図２８】
0005431870.tif 000029
【図２９】
0005431870.tif 000030
【図３０】
0005431870.tif 000031
【図３１】
0005431870.tif 000032
【図３２】
0005431870.tif 000033
【図３３】
0005431870.tif 000034
【図３４】
0005431870.tif 000035
【図３５】
0005431870.tif 000036
【図３６】
0005431870.tif 000037
【図３７】
0005431870.tif 000038
【図３８】
0005431870.tif 000039
【図３９】
0005431870.tif 000040
【図４０】
0005431870.tif 000041
【図４１】
0005431870.tif 000042
【図４２】
0005431870.tif 000043
【図４３】
0005431870.tif 000044
【図４４】
0005431870.tif 000045
【図４５】
0005431870.tif 000046
【図４６】
0005431870.tif 000047
【図４７】
0005431870.tif 000048